(57)【要約】  ランダムアクセス方法及び機器が提供される。ランダムアクセス方法では、ダウンリンク信号とランダムアクセス機会との間の関連付け関係が、１つのダウンリンク信号が複数のランダムアクセス機会に対応するものであるとき、複数のランダムアクセス機会の中の、具体的にはランダムアクセスプリアンブルを送信するために使用される、第１ランダムアクセス機会は、第１指示情報に基づき決定される。ダウンリンク信号とランダムアクセス機会との間の関連付け関係が、複数のダウンリンク信号が１つのランダムアクセス機会に対応するものであるとき、第２指示情報に基づき、複数のダウンリンク信号の中のダウンリンク信号が決定されてよい。ダウンリンク信号に対応するランダムアクセス機会は、第１ランダムアクセス機会として使用されてよく、ランダムアクセスプリアンブルは第１ランダムアクセス機会により送信されてよい。前述のランダムアクセス方法によると、第１ランダムアクセス機会は、比較的正確に決定できる。したがって、ランダムアクセスのために使用されるランダムアクセスリソースは、比較的正確に決定できる。
2021516924.tif 000002
【特許請求の範囲】
【請求項１】
ランダムアクセス方法であって、前記方法は、
ダウンリンク信号とランダムアクセス機会との間の関連付け関係を決定するステップと、
前記ダウンリンク信号と前記ランダムアクセス機会との間の前記関連付け関係が、１つのダウンリンク信号が複数のランダムアクセス機会に対応するものであるとき、第１指示情報を取得し、及び／又は、前記ダウンリンク信号と前記ランダムアクセス機会との間の前記関連付け関係が、複数のダウンリンク信号が１つのランダムアクセス機会に対応するものであるとき、第２指示情報を取得するステップと、
前記第１指示情報及び／又は前記第２指示情報に基づき、第１ランダムアクセス機会を決定するステップと、
前記第１ランダムアクセス機会によりランダムアクセスプリアンブルを送信するステップと、
を含む方法。
【請求項２】
前記第１指示情報は、１つのダウンリンク信号に対応する前記複数のランダムアクセス機会のうちの少なくとも１つの機会を示す、請求項１に記載の方法。
【請求項３】
前記第１指示情報は、マスクインデックスを含み、又は、
前記第１指示情報は、複数のビットを含み、各ビットは前記複数のランダムアクセス機会のうちの１つに対応し、各ビットの値は、該ビットに対応するランダムアクセス機会がランダムアクセスプリアンブルを送信するために使用されるか否かを示す、請求項２に記載の方法。
【請求項４】
前記第１指示情報に基づき、第１ランダムアクセス機会を決定する前記ステップは、
対応に基づき、前記第１ランダムアクセス機会を決定するステップであって、前記対応は、前記第１指示情報の値と前記第１ランダムアクセス機会との間の対応を含む、ステップを含む、請求項２又は３に記載の方法。
【請求項５】
前記第２指示情報は、１つのランダムアクセス機会に対応する前記複数のダウンリンク信号のうちの少なくとも１つのダウンリンク信号を示し、前記第２指示情報に基づき、第１ランダムアクセス機会を決定する前記ステップは、
前記第２指示情報に基づき、第１ダウンリンク信号を決定するステップと、
前記第１ダウンリンク信号に対応するランダムアクセス機会を前記第１ランダムアクセス機会として決定するステップと、
を含む、請求項１に記載の方法。
【請求項６】
前記第１ランダムアクセス機会により、ランダムアクセスプリアンブルを送信する前記ステップは、
Ｋ個の第１ランダムアクセス機会により、Ｋ個のランダムアクセスプリアンブルを送信するステップであって、Ｋは２以上の正整数である、ステップを含む、請求項１乃至５のいずれか一項に記載の方法。
【請求項７】
１つのダウンリンク信号が前記Ｋ個のランダムアクセス機会に対応するとき、前記第１指示情報は、前記Ｋ個の第１ランダムアクセス機会を示し、前記Ｋ個の第１ランダムアクセス機会は、前記第１指示情報に基づき決定され、
前記第１指示情報は、前記Ｋ個の第１ランダムアクセス機会に対応するＫ個のマスクインデックスを含み、又は、
前記第１指示情報は、複数のビットを含み、各ビットは前記複数のランダムアクセス機会のうちの１つに対応し、各ビットの値は、該ビットに対応するランダムアクセス機会がランダムアクセスプリアンブルを送信するために使用されるか否かを示し、前記複数のビットの中のＫ個のビットの値は、前記Ｋ個のビットに対応するランダムアクセス機会がランダムアクセスプリアンブルを送信するために使用されることを示す、請求項６に記載の方法。
【請求項８】
前記Ｋ個の第１ランダムアクセス機会がＭ個のダウンリンク信号に関連付けられ、Ｍが２以上の正整数であるとき、前記Ｋ個の第１ランダムアクセス機会は、前記第１指示情報及び前記第２指示情報に基づき決定される、請求項６に記載の方法。
【請求項９】
前記第２指示情報は複数のビットを含み、各ビットは前記複数のダウンリンク信号のうちの１つに対応し、各ビットの値は、該ビットに対応するダウンリンク信号に対応するランダムアクセス機会がランダムアクセスプリアンブルを送信するために使用されるか否かを示し、前記複数のビットの中のＭ個のビットの値は、前記Ｍ個のビットに対応するダウンリンク信号に対応するランダムアクセス機会がランダムアクセスプリアンブルを送信するために使用されることを示し、前記第１指示情報は、複数のビットを含み、各ビットは、前記複数のランダムアクセス機会のうちの１つに対応し、各ビットの値は、該各ビットに対応するランダムアクセス機会がランダムアクセスプリアンブルを送信するために使用されるか否かを示し、前記複数のビットの中のＫ／Ｍ個のビットの値は、前記Ｋ／Ｍ個のビットに対応するランダムアクセス機会がランダムアクセスプリアンブルを送信するために使用されることを示す、請求項８に記載の方法。
【請求項１０】
ランダムアクセス方法であって、前記方法は、
構成情報要素を送信するステップであって、前記構成情報要素は、ダウンリンク信号とランダムアクセス機会との間の関連付け関係を示す、ステップと、
前記ダウンリンク信号と前記ランダムアクセス機会との間の前記関連付け関係が、１つのダウンリンク信号が複数のランダムアクセス機会に対応するものであると決定すると、第１指示情報を送信し、及び／又は、前記ダウンリンク信号と前記ランダムアクセス機会との間の前記関連付け関係が、複数のダウンリンク信号が１つのランダムアクセス機会に対応するものであると決定すると、端末へ第２指示情報を送信する、ステップであって、前記第１指示情報及び／又は前記第２指示情報は、ランダムアクセスプリアンブルを送信するための第１ランダムアクセス機会を決定するために使用される、ステップと、
前記第１ランダムアクセス機会により送信された前記ランダムアクセスプリアンブルを受信するステップと、
を含む方法。
【請求項１１】
前記第１指示情報は、１つのダウンリンク信号に対応する前記複数のランダムアクセス機会のうちの少なくとも１つの機会を示す、請求項１０に記載の方法。
【請求項１２】
前記第１指示情報は、マスクインデックスを含み、又は、
前記第１指示情報は、複数のビットを含み、各ビットは前記複数のランダムアクセス機会のうちの１つに対応し、各ビットの値は、該ビットに対応するランダムアクセス機会がランダムアクセスプリアンブルを送信するために使用されるか否かを示す、請求項１１に記載の方法。
【請求項１３】
第１指示情報を送信する前記ステップの前に、前記方法は、
対応に基づき、前記第１ランダムアクセス機会に対応する前記第１指示情報を決定するステップであって、前記対応は、前記第１指示情報の値と前記第１ランダムアクセス機会との間の対応を含む、ステップ、を更に含む請求項１１又は１２に記載の方法。
【請求項１４】
前記第２指示情報は、１つのランダムアクセス機会に対応する前記複数のダウンリンク信号のうちの少なくとも１つのダウンリンク信号を示し、前記第２指示情報により示される第１ダウンリンク信号に対応するランダムアクセス機会は、前記第１ランダムアクセス機会である、請求項１０に記載の方法。
【請求項１５】
前記第１ランダムアクセス機会により送信された前記ランダムアクセスプリアンブルを受信する前記ステップは、
Ｋ個の第１ランダムアクセス機会により送信されたＫ個のランダムアクセスプリアンブルを受信するステップであって、Ｋは２以上の正整数である、ステップを含む、請求項１０乃至１４のいずれか一項に記載の方法。
【請求項１６】
１つのダウンリンク信号が前記Ｋ個のランダムアクセス機会に対応するとき、前記第１指示情報は、前記Ｋ個の第１ランダムアクセス機会を示し、
前記第１指示情報は、前記Ｋ個の第１ランダムアクセス機会に対応するＫ個のマスクインデックスを含み、又は、
前記第１指示情報は、複数のビットを含み、各ビットは前記複数のランダムアクセス機会のうちの１つに対応し、各ビットの値は、該ビットに対応するランダムアクセス機会がランダムアクセスプリアンブルを送信するために使用されるか否かを示し、前記複数のビットの中のＫ個のビットの値は、前記Ｋ個のビットに対応するランダムアクセス機会がランダムアクセスプリアンブルを送信するために使用されることを示す、請求項１５に記載の方法。
【請求項１７】
前記Ｋ個の第１ランダムアクセス機会がＭ個のダウンリンク信号に関連付けられ、Ｍが２以上の正整数であるとき、前記第１指示情報及び前記第２指示情報は、前記Ｋ個の第１ランダムアクセス機会を決定するために使用される、請求項１５に記載の方法。
【請求項１８】
前記第２指示情報は複数のビットを含み、各ビットは前記複数のダウンリンク信号のうちの１つに対応し、各ビットの値は、該ビットに対応するダウンリンク信号に対応するランダムアクセス機会がランダムアクセスプリアンブルを送信するために使用されるか否かを示し、前記複数のビットの中のＭ個のビットの値は、前記Ｍ個のビットに対応するダウンリンク信号に対応するランダムアクセス機会がランダムアクセスプリアンブルを送信するために使用されることを示し、前記第１指示情報は、複数のビットを含み、各ビットは、前記複数のランダムアクセス機会のうちの１つに対応し、各ビットの値は、該各ビットに対応するランダムアクセス機会がランダムアクセスプリアンブルを送信するために使用されるか否かを示し、前記複数のビットの中のＫ／Ｍ個のビットの値は、前記Ｋ／Ｍ個のビットに対応するランダムアクセス機会がランダムアクセスプリアンブルを送信するために使用されることを示す、請求項１７に記載の方法。
【請求項１９】
ランダムアクセス方法であって、前記方法は、
ネットワーク装置から構成情報要素を受信するステップであって、前記構成情報要素は、ダウンリンク信号とランダムアクセス機会との間の対応を示し、前記ダウンリンク信号と前記ランダムアクセス機会との間の前記対応は、ランダムアクセス機会当たりのダウンリンク信号の数を含む、ステップと、
第１指示を取得するステップであって、前記第１指示は、第１ダウンリンク信号を示す、ステップと、
前記第１指示に基づき、前記第１指示により示された前記第１ダウンリンク信号に対応する第１ランダムアクセス機会により、ランダムアクセスプリアンブルを送信するステップと、
を含む方法。
【請求項２０】
前記方法は、
第２指示を取得するステップであって、前記第２指示は、１つのダウンリンク信号に対応する複数のランダムアクセス機会のうちの第１ランダムアクセス機会を示す、ステップ、
を更に含み、
ランダムアクセスプリアンブルを送信する前記ステップは、
前記第１指示及び前記第２指示に基づき、前記第２指示により示された、前記第１指示により示された前記第１ダウンリンク信号に対応する複数のランダムアクセス機会の中の前記第１ランダムアクセス機会により、前記ランダムアクセスプリアンブルを送信するステップを含む、請求項１９に記載の方法。
【請求項２１】
前記第２指示は、マスクインデックスを含む、請求項２０に記載の方法。
【請求項２２】
前記第２指示は、ＲＲＣシグナリングの中の情報要素により、又は、物理ダウンリンク制御チャネルＰＤＣＣＨオーダにより、送信される、請求項２０又は２１に記載の方法。
【請求項２３】
前記ダウンリンク信号は同期信号ブロックＳＳＢである、請求項１９乃至２２のいずれか一項に記載の方法。
【請求項２４】
ランダムアクセス機会当たりのダウンリンク信号の前記数は、１より大きい、１より小さい、又は１に等しい、請求項１９乃至２３のいずれか一項に記載の方法。
【請求項２５】
ネットワーク装置から、構成情報要素を受信する前記ステップは、
前記ネットワーク装置から、構成メッセージを受信するステップであって、前記構成メッセージは、前記ダウンリンク信号と前記ランダムアクセス機会との間の前記対応を示す前記構成情報要素を含む、ステップを含む、請求項１９乃至２４のいずれか一項に記載の方法。
【請求項２６】
前記構成メッセージは、第１構成情報要素と、第２構成情報要素と、を更に含み、前記第１構成情報要素及び前記第２構成情報要素は、それぞれ、ランダムアクセスリソースの時間ドメイン位置及び周波数ドメイン位置を示す、請求項２５に記載の方法。
【請求項２７】
ランダムアクセス方法であって、前記方法は、
ネットワーク装置から構成情報要素を受信するステップであって、前記構成情報要素は、ダウンリンク信号とランダムアクセス機会との間の対応を示し、前記ダウンリンク信号と前記ランダムアクセス機会との間の前記対応は、ランダムアクセス機会当たりのダウンリンク信号の数を含む、ステップと、
第１指示情報を取得するステップであって、前記第１指示情報は、１つのダウンリンク信号に対応する複数のランダムアクセス機会の中の第１ランダムアクセス機会を示す、ステップと、
前記第１指示情報に基づき、前記第１指示情報により示された前記第１ランダムアクセス機会により、ランダムアクセスプリアンブルを送信するステップと、
を含む方法。
【請求項２８】
前記方法は、
第２指示情報を取得するステップであって、前記第２指示情報は、第１ダウンリンク信号を示す、ステップ、
を更に含み、
ランダムアクセスプリアンブルを送信する前記ステップは、
前記第１指示情報及び前記第２指示情報に基づき、前記第１指示情報により示された、前記第１ダウンリンク信号に対応する複数のランダムアクセス機会の中の前記第１ランダムアクセス機会により、前記ランダムアクセスプリアンブルを送信するステップを含む、請求項２７に記載の方法。
【請求項２９】
前記第１指示情報は、マスクインデックスを含む、請求項２７又は２８に記載の方法。
【請求項３０】
前記第１指示情報は、ＲＲＣシグナリングの中の情報要素により、又は、物理ダウンリンク制御チャネルＰＤＣＣＨオーダにより、送信される、請求項２７乃至２９のいずれか一項に記載の方法。
【請求項３１】
前記ダウンリンク信号は同期信号ブロックＳＳＢである、請求項２７乃至３０のいずれか一項に記載の方法。
【請求項３２】
ランダムアクセス機会当たりのダウンリンク信号の前記数は、１より大きい、１より小さい、又は１に等しい、請求項２７乃至３１のいずれか一項に記載の方法。
【請求項３３】
ネットワーク装置から、構成情報要素を受信する前記ステップは、
前記ネットワーク装置から、構成メッセージを受信するステップであって、前記構成メッセージは、前記ダウンリンク信号と前記ランダムアクセス機会との間の前記対応を示す前記構成情報要素を含む、ステップを含む、請求項２７乃至３２のいずれか一項に記載の方法。
【請求項３４】
前記構成メッセージは、第１構成情報要素と、第２構成情報要素と、を更に含み、前記第１構成情報要素及び前記第２構成情報要素は、それぞれ、ランダムアクセスリソースの時間ドメイン位置及び周波数ドメイン位置を示す、請求項３３に記載の方法。
【請求項３５】
ランダムアクセス方法であって、前記方法は、
構成情報要素を送信するステップであって、前記構成情報要素は、ダウンリンク信号とランダムアクセス機会との間の対応を示し、前記ダウンリンク信号と前記ランダムアクセス機会との間の前記対応は、ランダムアクセス機会当たりのダウンリンク信号の数を含む、ステップと、
第１指示を送信するステップであって、前記第１指示は、第１ダウンリンク信号を示す、ステップと、
前記第１ダウンリンク信号に対応する第１ランダムアクセス機会により送信されたランダムアクセスプリアンブルを受信するステップと、
を含む方法。
【請求項３６】
前記方法は、
第２指示を送信するステップであって、前記第２指示は、１つのダウンリンク信号に対応する複数のランダムアクセス機会のうちの第１ランダムアクセス機会を示し、前記ランダムアクセスプリアンブルは、前記第２指示により示された、前記第１指示により示された前記第１ダウンリンク信号に対応する複数のランダムアクセス機会の中の前記第１ランダムアクセス機会により送信される、ステップ、
を更に含む、請求項３５に記載の方法。
【請求項３７】
前記第２指示は、マスクインデックスを含む、請求項３６に記載の方法。
【請求項３８】
前記第２指示は、ＲＲＣシグナリングの中の情報要素により、又は、物理ダウンリンク制御チャネルＰＤＣＣＨオーダにより、送信される、請求項３６又は３７に記載の方法。
【請求項３９】
ランダムアクセス方法であって、前記方法は、
構成情報要素を送信するステップであって、前記構成情報要素は、ダウンリンク信号とランダムアクセス機会との間の対応を示し、前記ダウンリンク信号と前記ランダムアクセス機会との間の前記対応は、ランダムアクセス機会当たりのダウンリンク信号の数を含む、ステップと、
第１指示情報を送信するステップであって、前記第１指示情報は、１つのダウンリンク信号に対応する複数のランダムアクセス機会の中の第１ランダムアクセス機会を示す、ステップと、
前記第１指示情報により示された前記第１ランダムアクセス機会により送信されたランダムアクセスプリアンブルを受信するステップと、
を含む方法。
【請求項４０】
前記方法は、
第２指示情報を送信するステップであって、前記第２指示情報は、第１ダウンリンク信号を示し、前記ランダムアクセスプリアンブルは、前記第１指示情報により示された、前記第１ダウンリンク信号に対応する複数のランダムアクセス機会の中の前記第１ランダムアクセス機会により、送信される、ステップ、
を更に含む請求項３９に記載の方法。
【請求項４１】
前記第１指示情報は、マスクインデックスを含む、請求項３９又は４０に記載の方法。
【請求項４２】
前記第１指示情報は、ＲＲＣシグナリングの中の情報要素により、又は、物理ダウンリンク制御チャネルＰＤＣＣＨオーダにより、送信される、請求項３９乃至４１のいずれか一項に記載の方法。
【請求項４３】
前記ダウンリンク信号は同期信号ブロックＳＳＢである、請求項３５乃至４２のいずれか一項に記載の方法。
【請求項４４】
ランダムアクセス機会当たりのダウンリンク信号の前記数は、１より大きい、１より小さい、又は１に等しい、請求項３５乃至４３のいずれか一項に記載の方法。
【請求項４５】
構成情報要素を送信する前記ステップは、
構成メッセージを送信するステップであって、前記構成メッセージは、前記ダウンリンク信号と前記ランダムアクセス機会との間の前記対応を示す前記構成情報要素を含む、ステップを含む、請求項３５乃至４４のいずれか一項に記載の方法。
【請求項４６】
前記構成メッセージは、第１構成情報要素と、第２構成情報要素と、を更に含み、前記第１構成情報要素及び前記第２構成情報要素は、それぞれ、ランダムアクセスリソースの時間ドメイン位置及び周波数ドメイン位置を示す、請求項４５に記載の方法。
【請求項４７】
請求項１乃至９のいずれか一項又は請求項１９乃至３４のいずれか一項に記載の方法のステップを実行するよう構成されるユニットを含む機器。
【請求項４８】
機器であって、少なくとも１つのプロセッサと、インタフェース回路と、を含み、前記少なくとも１つのプロセッサは、請求項１乃至９のいずれか一項又は請求項１９乃至３４のいずれか一項に記載の方法を実行するよう構成される、機器。
【請求項４９】
請求項４７又は４８に記載の機器を含む端末。
【請求項５０】
プログラムを含む記憶媒体であって、プロセッサにより実行されるとき、前記プログラムは、請求項１乃至９のいずれか一項又は請求項１９乃至３４のいずれか一項に記載の方法を実行するために使用される、記憶媒体。
【請求項５１】
プログラムであって、プロセッサにより実行されるとき、前記プログラムは、請求項１乃至９のいずれか一項又は請求項１９乃至３４のいずれか一項に記載の方法を実行するために使用される、プログラム。
【請求項５２】
請求項１０乃至１８のいずれか一項又は請求項３５乃至４６のいずれか一項に記載の方法のステップを実行するよう構成されるユニットを含む機器。
【請求項５３】
機器であって、少なくとも１つのプロセッサと、インタフェース回路と、を含み、前記少なくとも１つのプロセッサは、請求項１０乃至１８のいずれか一項又は請求項３５乃至４６のいずれか一項に記載の方法を実行するよう構成される、機器。
【請求項５４】
請求項５２又は５３に記載の機器を含むネットワーク装置。
【請求項５５】
プログラムを含む記憶媒体であって、プロセッサにより実行されるとき、前記プログラムは、請求項１０乃至１８のいずれか一項又は請求項３５乃至４６のいずれか一項に記載の方法を実行するために使用される、記憶媒体。
【請求項５６】
プログラムであって、プロセッサにより実行されるとき、前記プログラムは、請求項１０乃至１８のいずれか一項又は請求項３５乃至４６のいずれか一項に記載の方法を実行するために使用される、プログラム。
【発明の詳細な説明】
【技術分野】
【０００１】
［関連出願］
本願は、参照により全体がここに組み込まれる、中国特許出願番号２０１８１０２６０７８４．Ｘ号、中国特許庁に２０１８年３月２７日に出願、名称「RANDOM  ACCESS  METHOD  AND  APPARATUS」の優先権を主張する。
【０００２】
［技術分野］
本願は、通信技術の分野に関し、特に、ランダムアクセス方法及び機器に関する。
【背景技術】
【０００３】
モバイルサービスの発展は、無線通信におけるデータレート及び高率に対して益々増大する高い要件を課す。将来の無線通信システムでは、信号送信及び受信の効率を向上するために、送信信号のエネルギをビーム方向に制限するために、ビーム形成技術が使用される。
【０００４】
将来の第５世代移動通信技術（５Ｇ）システムでは、ネットワーク装置は、ビームのカバレッジ内にいる端末との情報伝送を実行するために、複数のビームを使用してよい。ネットワーク装置（例えば、基地局）が端末との情報伝送を実行する前に、端末はネットワーク装置にアクセスする。現在、端末は、通常、ランダムアクセス（random  access,  RA）処理を通じてネットワーク装置にアクセスする。端末が複数のビームのカバレッジ内にいるとき、既存のランダムアクセスリソース決定方法は、リソースの浪費又は遅延を引き起こすことがあり、もはや適切ではない。
【発明の概要】
【０００５】
本願の実施形態は、ランダムアクセスのために使用されるランダムアクセスリソースを比較的正確に決定するために、ランダムアクセス方法及び機器を提供する。
【０００６】
第１の態様によると、本願は、ランダムアクセス方法を提供する。前記方法は、端末に適用されてよく、又は端末内部のチップに適用されてよい。前記方法では、ダウンリンク信号とランダムアクセス機会との間の関連付け関係が、１つのダウンリンク信号が複数のランダムアクセス機会に対応するものであるとき、第１指示情報が取得され、又は、ダウンリンク信号とランダムアクセス機会との間の関連付け関係が、複数のダウンリンク信号が１つのランダムアクセス機会に対応するものであるとき、第２指示情報が取得される。第１ランダムアクセス機会は、前記第１指示情報及び／又は前記第２指示情報に基づき決定され、ランダムアクセスプリアンブルは前記決定された第１ランダムアクセス機会により送信される。
【０００７】
第２の態様によると、本願は、ランダムアクセス方法を提供する。前記方法は、ネットワーク装置に適用されてよく、又はネットワーク装置内部のチップに適用されてよい。前記方法では、構成情報要素が送信され、前記構成情報要素は、ダウンリンク信号とランダムアクセス機会との間の関連付け関係を示すために使用される。ダウンリンク信号とランダムアクセス機会との間の前記関連付け関係が、１つのダウンリンク信号が複数のランダムアクセス機会に対応するものであると決定されると、第１指示情報が送信され、及び／又は、ダウンリンク信号とランダムアクセス機会との間の前記関連付け関係が、複数のダウンリンク信号が１つのランダムアクセス機会に対応するものであると決定されると、第２指示情報が送信され、前記第１指示情報及び／又は前記第２指示情報は、ランダムアクセスプリアンブルを送信するための第１ランダムアクセス機会を決定するために使用される。前記第１ランダムアクセス機会により送信された前記ランダムアクセスプリアンブルが受信される。
【０００８】
第３の態様によると、本願は、第１の態様又は第２の態様における前記ステップを実行するよう構成されるユニット又は手段（means）を含むランダムアクセス機器を提供する。
【０００９】
第４の態様によると、本願は、少なくとも１つのプロセッサとメモリとを含むランダムアクセス機器を提供し、前記少なくとも１つのプロセッサは、第１の態様又は第２の態様で提供された前記方法を実行するよう構成される。
【００１０】
第５の態様によると、本願は、少なくとも１つのプロセッサとインタフェース回路とを含むランダムアクセス機器を提供し、前記少なくとも１つのプロセッサは、第１の態様又は第２の態様で提供された前記方法を実行するよう構成される。
【００１１】
第６の態様によると、本願は、ランダムアクセスプログラムを提供する。プロセッサにより実行されると、前記プログラムは、第１の態様又は第２の態様で提供された方法を実行するために使用される。
【００１２】
第７の態様によると、コンピュータ可読記憶媒体のようなプログラムプロダクトが提供され、前記プログラムプロダクトは、第６の態様におけるプログラムを含む。
【００１３】
前述の態様では、ダウンリンク信号とランダムアクセス機会との間の前記関連付け関係が、１つのダウンリンク信号が複数のランダムアクセス機会に対応するものであるとき、前記第１指示情報が取得され、前記第１ランダムアクセス機会は、前記第１指示情報に基づき決定されてよく、前記第１ランダムアクセス機会は、具体的にランダムアクセスプリアンブルを送信するために使用されるランダムアクセス機会として使用されてよい。ダウンリンク信号とランダムアクセス機会との間の関連付け関係が、複数のダウンリンク信号が１つのランダムアクセス機会に対応するものであるとき、前記第２指示情報が取得され、前記ダウンリンク信号は前記第２指示情報に基づき決定されてよく、前記ダウンリンク信号に対応する前記ランダムアクセス機会は、前記第１ランダムアクセス機会として決定され、第１ランダムアクセス機会は、具体的に、ランダムアクセスプリアンブルを送信するために使用されるランダムアクセス機会として使用されてよい。本願の実施形態では、前記第１ランダムアクセス機会は、前記第１指示情報及び／又は前記第２指示情報に基づき決定される。このように、ランダムアクセスプリアンブルを送信するためのランダムアクセス機会は、比較的正確に決定できる。したがって、ランダムアクセスのために使用されるランダムアクセスリソースは、比較的正確に決定できる。更に、前記端末が、前記ダウンリンク信号を前記第２指示情報に基づき決定する場合、前記端末は、前記ネットワーク装置に示されるべきダウンリンク信号を決定してよく、その結果、前記ネットワーク装置は，ｍｓｇ２を送信するとき、ダウンリンクビームを決定してよい。
【００１４】
前述の態様では、前記ダウンリンク信号は、同期信号ブロック又はチャネル状態情報参照信号であってよい。
【００１５】
可能な設計では、前記第１指示情報は、１つのダウンリンク信号に対応する前記複数のランダムアクセス機会のうちの少なくとも１つの機会を示すために使用されてよい。
【００１６】
本願の実施形態では、ダウンリンク信号とランダムアクセス機会との間の前記関連付け関係が、１つのダウンリンク信号が複数のランダムアクセス機会に対応するものであるとき、前記複数のランダムアクセス機会の中の少なくとも１つのランダムアクセス機会を前記第１ランダムアクセス機会として示す前記第１指示情報に基づき、ランダムアクセスプリアンブルを送信するためのランダムアクセス機会は、各ダウンリンク信号について複数のランダムアクセス機会の中で決定されてよい。
【００１７】
本願の実施形態における前記第１指示情報は、マスクインデックスであってよい。代替として、前記第１指示情報は複数のビットを含み、各ビットは複数のランダムアクセス機会のうちの１つに対応し、各ビットの値は、該ビットに対応するランダムアクセス機会がランダムアクセスプリアンブルを送信するために使用されるか否かを示すために使用される。
【００１８】
可能な設計では、異なるランダムアクセスマスクは、ダウンリンク信号とランダムアクセス機会との間の異なる関連付け関係のために構成されてよい。各ランダムアクセスマスクは、前記第１指示情報の値とランダムアクセス機会との間の対応を含んでよい。前記第１指示情報の値とランダムアクセス機会との間の対応は、各ランダムアクセスマスクに含まれ、第１対応と呼ばれてよい。前記マスクインデックスは、前記第１対応の中の前記第１指示情報のビットの値であってよい。
【００１９】
可能な実装では、前記第１対応は、
前記ダウンリンク信号が８個のランダムアクセス機会に対応するとき、前記第１指示情報は、３ビット情報の値であり、各値は１つのランダムアクセス機会を示すために使用される、又は、前記第１指示情報は４ビット情報の値であり、８個の値が８個のランダムアクセス機会を示すために使用され、１つの値は、任意のランダムアクセス機会が前記ダウンリンク信号に対応する全部のランダムアクセス機会から選択できることを示すために使用され、１つの値は、奇数番号のランダムアクセス機会を示すために使用され、１つの値は、偶数番号のランダムアクセス機会を示すために使用され、他の値は予約される；
前記ダウンリンク信号が４個のランダムアクセス機会に対応するとき、前記第１指示情報は２ビット情報の値であり、各値は１つのランダムアクセス機会を示すために使用される、又は、前記第１指示情報は３ビット情報の値であり、４個の値が４個のランダムアクセス機会を示すために使用され、１つの値が、任意のランダムアクセス機会が前記ダウンリンク信号に対応する全部のランダムアクセス機会から選択できることを示すために使用され、１つの値は、奇数番号のランダムアクセス機会を示すために使用され、１つの値は、偶数番号のランダムアクセス機会を示すために使用され、他の値は予約される；又は、
前記ダウンリンク信号が２個のランダムアクセス機会に対応するとき、前記第１指示情報は１ビット情報の値であり、各値は１つのランダムアクセス機会を示すために使用される、又は、前記第１指示情報は２ビット情報の値であり、２個の値が２個のランダムアクセス機会を示すために使用され、１つの値が、任意のランダムアクセス機会が前記ダウンリンク信号に対応する全部のランダムアクセス機会から選択できることを示すために使用され、他の値は予約される。
【００２０】
別の可能な実装では、同じランダムアクセスマスクは、ダウンリンク信号とランダムアクセス機会との間の異なる関連付け関係のために構成されてよい。前記ランダムアクセスマスクは、前記第１指示情報の値とランダムアクセス機会との間の対応を含んでよい。前記第１指示情報の値とランダムアクセス機会との間の前記対応は、前記同じランダムアクセスマスクに含まれ、第２対応と呼ばれる。前記マスクインデックスは、前記第２対応の中の前記第１指示情報のビットの値であってよい。
【００２１】
別の可能な実装では、前記第１対応は以下を含む：
前記第１情報は４ビット情報の値であり、１つの値は、任意のランダムアクセス機会が前記ダウンリンク信号に対応する全部のランダムアクセス機会から選択できることを示すために使用され、２つの値は、前記ダウンリンク信号に対応する２つのランダムアクセス機会の中の２つのランダムアクセス機会を示すために使用され、２つの値は予約され又は前記ダウンリンク信号に対応する４個のランダムアクセス機会の中の前記２つのランダムアクセス機会以外の２つのランダムアクセス機会を示すために使用され、２つの値は予約され又は前記ダウンリンク信号に対応する８個のランダムアクセス機会の中の前記４個のランダムアクセス機会以外の４個のランダムアクセス機会を示すために使用され、１つの値は、前記ダウンリンク信号に対応する前記４個又は８個のランダムアクセス機会の中の奇数番号のランダムアクセス機会を示すために使用され、１つの値は、前記ダウンリンク信号に対応する前記４個又は８個のランダムアクセス機会の中の偶数番号のランダムアクセス機会を示すために使用される；又は、
前記第１情報は３ビットの値であり、１つの値は、任意のランダムアクセス機会が前記ダウンリンク信号に対応する全部のランダムアクセス機会から選択できることを示すために使用され、２つの値は、前記ダウンリンク信号に対応する２つのランダムアクセス機会の中の２つのランダムアクセス機会を示すために使用され、２つの値は予約され又は前記ダウンリンク信号に対応する４個のランダムアクセス機会の中の前記２つのランダムアクセス機会以外の２つのランダムアクセス機会を示すために使用され、２つの値は予約され又は前記ダウンリンク信号に対応する８個のランダムアクセス機会の中の前記４個のランダムアクセス機会以外の４個のランダムアクセス機会を示すために使用される。
【００２２】
本願の実施形態では、異なる又は同じランダムアクセスマスクが、ダウンリンク信号とランダムアクセス機会との間の異なる関連付け関係のために構成される。その結果、ダウンリンク信号のためのランダムアクセス機会は、ランダムアクセスマスクを用いて示すことができる。更に、全部のダウンリンク信号が、同じランダムアクセス機会関連付け関係を有するので、本願の実施形態では、全部のダウンリンク信号のランダムアクセス機会が、１つのダウンリンク信号に対応するランダムアクセスマスク構成を用いて示されてよい。
【００２３】
別の可能な設計では、本願の実施形態では、前記第２指示情報は、１つのランダムアクセス機会に対応する複数のランダムアクセス信号のうちの少なくとも１つのダウンリンク信号を示すために使用されてよい。前記ランダムアクセスプリアンブルを送信するための前記第１ランダムアクセス機会は、以下の方法：前記第２指示情報に基づき第１ダウンリンク信号を決定するステップと、前記第１ダウンリンク信号に対応するランダムアクセス機会を前記第１ランダムアクセス機会として決定するステップと、により前記第２指示情報に基づき決定される。
【００２４】
前記第２指示情報は複数のビットを含み、各ビットは前記複数のダウンリンク信号のうちの１つに対応し、各ビットの値は、該ビットに対応するダウンリンク信号に対応するランダムアクセス機会が、ランダムアクセスプリアンブルを送信するために使用されるか否かを示すために使用され、又は、前記第２指示情報は、Ｎビット情報の少なくとも１つの値であり、前記Ｎビット情報の複数の値は、前記複数のダウンリンク信号を示すために使用される。
【００２５】
本願の実施形態では、ダウンリンク信号とランダムアクセス機会との間の関連付け関係が、複数のダウンリンク信号が１つのランダムアクセス機会に対応するものであるとき、前記複数のダウンリンク信号の中の前記少なくとも１つのダウンリンク信号を示す前記第２指示情報は、前記複数のダウンリンク信号の中の前記第１ダウンリンク信号を決定するために使用されてよく、前記第１ダウンリンク信号に対応する前記ランダムアクセス機会は、前記第１ランダムアクセス機会として使用されてよい。更に、前記端末は、前記ネットワーク装置に示されるべき前記第１ダウンリンク信号、及び対応する第１ダウンリンク信号により配信されるべきｍｓｇ２を決定してよい。前記第１ダウンリンク信号は、前記ネットワーク装置により指定されてよく、前記指定されたダウンリンク信号は、迅速なアクセスを促進するために、高負荷、比較的少ない干渉、及び良好な品質を有するダウンリンク信号であってよい。
【００２６】
更に別の可能な設計では、前述の態様及び該態様の可能な設計では、Ｋ個のランダムアクセスプリアンブルは、Ｋ個のランダムアクセス機会により送信されてよく、Ｋは２以上の正整数である。
【００２７】
１つのダウンリンク信号が前記Ｋ個のランダムアクセス機会に対応するとき、前記第１指示情報は、前記Ｋ個の第１ランダムアクセス機会を示すために使用され、
前記第１指示情報は、前記Ｋ個の第１ランダムアクセス機会に対応するＫ個のマスクインデックスを含み、又は、
前記第１指示情報は複数のビットを含み、各ビットは前記複数のランダムアクセス機会のうちの１つに対応し、各ビットの値は、該ビットに対応するランダムアクセス機会がランダムアクセスプリアンブルを送信するために使用されるか否かを示し、前記複数のビットの中のＫ個のビットの値は、前記Ｋ個のビットに対応するランダムアクセス機会がランダムアクセスプリアンブルを送信するために使用されることを示す。
【００２８】
前記Ｋ個の第１ランダムアクセス機会がＭ個のダウンリンク信号に関連付けられ、Ｍが２以上の正整数であるとき、前記Ｋ個の第１ランダムアクセス機会は、前記第１指示情報及び前記第２指示情報に基づき決定される。
【００２９】
更に、前記第２指示情報は複数のビットを含み、各ビットは前記複数のダウンリンク信号のうちの１つに対応し、各ビットの値は、該ビットに対応するダウンリンク信号に対応するランダムアクセス機会がランダムアクセスプリアンブルを送信するために使用されるか否かを示し、前記複数のビットの中のＭ個のビットの値は、前記Ｍ個のビットに対応するダウンリンク信号に対応するランダムアクセス機会がランダムアクセスプリアンブルを送信するために使用されることを示し、前記第１指示情報は、複数のビットを含み、各ビットは、複数のランダムアクセス機会のうちの１つに対応し、各ビットの値は、該各ビットに対応するランダムアクセス機会がランダムアクセスプリアンブルを送信するために使用されるか否かを示し、前記複数のビットの中のＫ／Ｍ個のビットの値は、前記Ｋ／Ｍ個のビットに対応するランダムアクセス機会がランダムアクセスプリアンブルを送信するために使用されることを示す。
【図面の簡単な説明】
【００３０】
【図１】本願による通信システムのアーキテクチャ図である。
【００３１】
【図２】ネットワークアーキテクチャの概略図である。
【００３２】
【図３】別のネットワークアーキテクチャの概略図である。
【００３３】
【図４】本願の一実施形態によるランダムアクセス方法の実装フローチャートである。
【００３４】
【図５】本願の一実施形態による別のランダムアクセス方法の実装フローチャートである。
【００３５】
【図６】本願の一実施形態による更に別のランダムアクセス方法の実装フローチャートである。
【００３６】
【図７】本願の一実施形態によるランダムアクセス機器の概略図である。
【００３７】
【図８】本願の一実施形態による別のランダムアクセス機器の概略図である。
【００３８】
【図９】本願の一実施形態による端末の概略図である。
【００３９】
【図１０】本願の一実施形態によるネットワーク装置の概略図である。
【発明を実施するための形態】
【００４０】
以下は、本願の実施形態における技術的ソリューションを記載する。
【００４１】
当業者のより良い理解を助けるために、本願の実施形態における幾つかの用語が先ず説明される。
【００４２】
（１）端末は、ユーザ機器（user  equipment,  UE）、移動局（mobile  station,  MS）、移動端末（mobile  terminal,  MT）、等とも呼ばれ、音声接続及び／又はデータ接続をユーザに提供する装置であり、例えば、無線接続機能を有するハンドヘルド装置又は車載装置である。現在、例えば、端末は、携帯電話機（mobile  phone）、タブレットコンピュータ、ノートブックコンピュータ、パームトップコンピュータ、モバイルインターネット装置（mobile  internet  device,  MID）、ウェアラブル装置、仮想現実（virtual  reality,  VR）装置、拡張現実（augmented  reality,  AR）装置、産業制御（industrial  control）における無線端末、自動走行（self  driving）における無線端末、遠隔医療手術（remote  medical  surgery）における無線端末、スマートグリッド（smart  grid）における無線端末、輸送安全性（transportation  safety）における無線端末、スマート都市（smart  city）における無線端末、スマートホーム（smart  home）における無線端末、等である。
【００４３】
（２）ネットワーク装置は、無線ネットワーク内の装置であり、例えば、端末が無線ネットワークにアクセスできるようにする無線アクセスネットワーク（radio  access  network,  RAN）ノードであってよく、ＲＡＮノードは基地局とも呼ばれてよい。現在、例えば、ＲＡＮノードは、絶えず進化するＮｏｄｅＢ（ｇＮＢ）、送受信点（transmission  reception  point,  TRP）、進化型ＮｏｄｅＢ（evolved  NodeB,  eNB）、無線ネットワーク制御部（radio  network  controller,  RNC）、ＮｏｄｅＢ（NodeB,  NB）、基地局制御部（base  station  controller,  BSC）、基地トランシーバ局（base  transceiver  station,  BTS）、ホーム進化型ＮｏｄｅＢ（例えば、home  evolved  NodeB又はhome  NodeB,  HNB）、ベースバンドユニット（base  band  unit,  BBU）、無線フィデリティ（wireless  fidelity,  Wi-Fi）アクセスポイント（access  point,  AP）、等である。ネットワーク構造では、ネットワーク装置は、中央ユニット（centralized  unit,  CU）ノード、分散ユニット（distributed  unit,  DU）ノード、又はＣＵノード及びＤＵノードを含むＲＡＮ装置を含んでよい。
【００４４】
（３）「複数の」は、２つ以上を示し、別の数量詞もこれと同様である。用語「及び／又は」は、関連付けられたオブジェクトの間の関連付け関係を記述し、３つの関係が存在し得ることを表す。例えば、Ａ及び／又はＢは、以下の３つの場合を表してよい。Ａのみが存在する、Ａ及びＢの両方が存在する、並びに、Ｂのみが存在する。文字「／」は、通常、関連付けられたオブジェクトの間の「又は」の関係を示す。
【００４５】
（４）名詞「ネットワーク」及び「システム」は、通常、同義的に使用されるが、用語の意味は当業者により理解できる。用語「〜の（of）」、「〜に関連する（relevant）」、及び「〜に対応する（corresponding）」は、時には、互いに置換されてよく、用語により表される意味は、差が強調されないときには一致する。
【００４６】
図１は、本願の一実施形態による通信システムの概略図である。図１に示すように、端末１３０は、無線ネットワークにアクセスして、外部ネットワーク（例えば、インターネット）から無線ネットワークを介してサービスを取得し、又は無線ネットワークを介して別の端末と通信する。無線ネットワークは、ＲＡＮ１１０及びコアネットワーク（ＣＮ）１２０を含む。ＲＡＮ１１０は、端末１３０を無線ネットワークに接続するために使用され、ＣＮ１２０は、端末装置を管理し及び外部ネットワークと通信するためのゲートウェイを提供するために使用される。
【００４７】
図２は、本願の一実施形態によるネットワークアーキテクチャの概略図である。図２に示されるように、ネットワークアーキテクチャはＣＮ装置及びＲＡＮ装置を含む。ＲＡＮ装置は、ベースバンド機器及び無線周波数機器を含む。ベースバンド機器は、１つのノードを含んでよく、又は複数のノードを含んでよい。無線周波数機器は、ベースバンド機器からリモートに独立して実装されてよく、又は、ベースバンド機器に統合されてよく、又は無線周波数機器の一部はリモートに展開され、無線周波数機器の他の部分はベースバンド機器に統合される。例えば、ロングタームエボリューション（long  term  evolution,  LTE）通信システムでは、ＲＡＮ装置（ｅＮＢ）は、ベースバンド機器及び無線周波数機器を含む。無線周波数機器は、ベースバンド機器に対してリモートに配置されてよい。例えば、リモート無線ユニット（remote  radio  unit,  RRU）は、ＢＢＵに対してリモートに配置される。
【００４８】
ＲＡＮ装置は、無線リソース制御（radio  resource  control,  RRC）レイヤ、パケットデータコンバージェンスプロトコル（packet  data  convergence  protocol,  PDCP）レイヤ、無線リンク制御（radio  link  control,  RLC）レイヤ、媒体アクセス制御（Media  Access  Control,  MAC）レイヤ、等のようなプロトコルレイヤの機能を、１つ以上のノードにより実装してよい。例えば、進化型構造では、ＲＡＮ装置は、中央ユニット（centralized  unit,  CU）及び分散ユニット（distributed  unit,  DU）を含んでよく、複数のＤＵが１つのＣＵにより集中的に制御されてよい。図２に示すように、ＣＵ及びＤＵは、無線ネットワークのプロトコルレイヤに基づき分割されてよい。例えば、ＰＤＣＰレイヤ及びＰＤＣＰレイヤより上のプロトコルレイヤの機能は、ＣＵに設定され、ＲＬＣレイヤ及びＭＡＣレイヤのようなＰＤＣＰレイヤより下のプロトコルレイヤの機能は、ＤＵに設定される。
【００４９】
プロトコルレイヤに基づくこのような分割は単なる例であり、分割は、代替として、別のプロトコルレイヤ、例えばＲＬＣレイヤに基づき実行されてよい。ＲＬＣレイヤ及びＲＬＣレイヤより上のプロトコルレイヤの機能は、ＣＵに設定され、ＲＬＣレイヤより下のプロトコルレイヤの機能は、ＤＵに設定される。代替として、分割はプロトコルレイヤにおいて実行される。例えば、ＲＬＣレイヤの機能の部分及びＲＬＣレイヤより上のプロトコルレイヤの機能は、ＣＵに設定され、ＲＬＣレイヤの機能の他の部分及びＲＬＣレイヤより下のプロトコルレイヤの機能は、ＤＵに設定される。更に、分割は、代替として、別の方法で実行されてよい。例えば、分割は遅延に基づき実行される。処理時間が遅延要件に適合する必要のある機能は、ＤＵに設定され、処理時間が遅延要件に適合する必要のない機能はＣＵに設定される。
【００５０】
更に、無線周波数機器は、ＤＵに配置されなくてよいが、ＤＵからリモートに配置されてよく、又は、ＤＵに統合されてよく、又は無線周波数機器の一部はリモートに展開され、無線周波数機器の他の部分はＤＵに統合される。これは、ここでは限定されない。
【００５１】
図２に示すアーキテクチャと比べ、図３を更に参照すると、ＣＵの制御プレーン（ＣＰ）及びユーザプレーン（ＵＰ）は、分離され、それぞれ制御プレーンＣＵエンティティ（ＣＵ−ＣＰエンティティ）及びユーザプレーンＣＵエンティティ（ＣＵ−ＵＰエンティティ）である異なるエンティティにより実装されてよい。
【００５２】
前述のネットワークアーキテクチャでは、ＣＵにより生成されるシグナリングは、ＤＵを通じて端末へ送信されてよく、又は、端末により生成されるシグナリングは、ＤＵを通じてＣＵへ送信されてよい。ＤＵは、シグナリングをパースすることなく、プロトコルレイヤでシグナリングを直接カプセル化することにより、端末またはＣＵへ透過的に送信してよい。以下の実施形態では、ＤＵと端末との間のこのようなシグナリングの送信が含まれる場合、ＤＵがシグナリングを送信又は受信することは、このシナリオを含む。例えば、ＲＲＣレイヤ又はＰＤＣＰレイヤにおけるシグナリングは、最終的に、ＰＨＹレイヤにおけるシグナリングとして処理され、端末へ送信される、又は、ＰＨＹレイヤにおける受信したシグナリングから変換される。このアーキテクチャでは、ＲＲＣ又はＰＤＣＰレイヤにおけるシグナリングは、ＤＵにより送信される、又はＤＵ及び無線周波数機器により送信される、と考えられてもよい。
【００５３】
前述の実施形態では、ＣＵは、ＲＡＮ側のネットワーク装置として分類される。更に、ＣＵは、代替として、ＣＮ側のネットワーク装置として分類されてよい。これは、ここでは限定されない。
【００５４】
本願の前述の実施形態における機器は、機器により実装される機能に基づき、端末又はネットワーク装置の中に置かれてよい。前述のＣＵ−ＤＵ構造が使用されるとき、ネットワーク装置は、ＣＵノード、ＤＵノード、又はＣＵノードとＤＵノードとを含むＲＡＮ装置であってよい。
【００５５】
ランダムアクセスは、端末がネットワーク装置にアクセスする方法である。ランダムアクセス処理では、端末は、先ず、ランダムアクセスプリアンブル（random  access  preamble）をネットワーク装置へ送信して、ネットワーク装置に、ランダムアクセス要求が存在することを知らせる。ネットワーク装置は、ネットワーク装置と端末との間の伝送遅延を推定してよい。その結果、ネットワーク装置がアップリンクタイミング（uplink  timing）を較正し、アップリンクタイミングアドバンスコマンド（timing  advance  command）により端末装置に較正情報を通知する。プリアンブルは、物理ランダムアクセスチャネル（physical  random  access  channel,  PRACH）で送信されてよい。ネットワーク装置は、システム情報ブロック１（system  information  block  １,SIB１）のようなブロードキャストシステム情報により、プリアンブルの送信が許可される特定時間周波数リソース（random  access  resources）を端末に通知してよい。
【００５６】
現在、ランダムアクセス処理の主に２つの異なる実装：衝突型ランダムアクセス（Contention  based  random  access,  CBRA）、及び非衝突型ランダムアクセス（Non-Contention  based  random  access又はContention-Free  based  random  access,  CFRA）がある。各セルは６４個の利用可能なプリアンブルシーケンスを有し、これらのシーケンスは２つの部分に分けられてよい。一方の部分は、衝突型ランダムアクセスのために使用され、他方の部分は、非衝突型ランダムアクセスのために使用される。端末が非衝突型ランダムアクセスを実行する場合、端末は、ネットワーク装置により直接指定されたプリアンブルを使用する。
【００５７】
非衝突型ランダムアクセスでは、ネットワーク装置は、より上位レイヤのシグナリング（例えば、無線リソース制御（radio  resource  control,  RRC）シグナリング）又は物理レイヤシグナリングにより、端末にＰＲＡＣＨリソースを示す。つまり、プリアンブルを送信するために使用できるＰＲＡＣＨリソースを示す。例えば、ＲＲＣシグナリングの中の情報要素ＲＡＣＨ−ＣｏｎｆｉｇＤｅｄｉｃａｔｅｄを用いて、ＰＲＡＣＨマスクインデックス（PRACH  mask  index）が端末に示される。又は、物理ダウンリンク制御チャネル（physical  downlink  control  channel,  PDCCH）オーダ（order）を用いて、ＰＲＡＣＨマスクインデックスが端末に示される。ＰＲＡＣＨマスクインデックスは、システムフレームの中で、端末がプリアンブルを送信できるＰＲＡＣＨリソースを示す。ＰＲＡＣＨマスクインデックスとＰＲＡＣＨリソースとの間の対応については、表１を参照する。
表１
【表１】
2021516924.tif 000003
【００５８】
ネットワーク装置は、ＰＲＡＣＨマスクインデックスを用いて、端末がプリアンブルを送信するための特定ＰＲＡＣＨリソースを示す。その結果、端末は、別の端末と衝突しない。ＰＲＡＣＨマスクインデックスは０であってよい。この場合、「ａｌｌ」は、ネットワーク装置がｐｒｅａｍｂｌｅのみを端末に割り当てることを示し、ＰＲＡＣＨリソースは端末により選択されてよい。ＰＲＡＣＨマスクインデックスは１１であってよい。この場合、端末は、時間ドメインで偶数番号のＰＲＡＣＨリソースからＰＲＡＣＨリソースを選択してよい。ここで、ＰＲＡＣＨリソースは、周波数ドメインにおいて最初のＰＲＡＣＨリソースである。
【００５９】
ＰＲＡＣＨリソースは、ランダムアクセス機会（例えば、PRACH  opportunity）とも呼ばれてよい。ランダムアクセス機会は、ランダムアクセスプリアンブルを送信するために端末により使用される時間周波数リソースとして理解されてよい。
【００６０】
端末が服すのビームのカバレッジ内にいるとき、既存のランダムアクセスリソース決定方法が依然として使用されるならば、ＰＲＡＣＨマスクインデックスを示すために、より多くの無線インタフェースリソースが必要である。例えば、８本のビームが存在し、ビーム毎に４個の可能なＰＲＡＣＨリソースが存在してよい。この場合、少なくとも３２個のインデックスが必要であり、インデックスを示すために少なくとも５ビットが必要である。従って、より簡易なランダムアクセスリソース決定方法が導入される。具体的に言うと、ダウンリンク信号、例えば同期信号ブロック（synchronization  signal  block,  SSB）と、ＰＲＡＣＨリソースとの間の関連付け関係が、ＰＲＡＣＨリソースを決定するために直接使用される。この方法は、ＦＤＤ及びＴＤＤの両方で使用されてよく、ランダムアクセスの複雑さを低減し、無線インタフェースリソースを節約する。
【００６１】
しかしながら、ＳＳＢとＰＲＡＣＨリソースとの間の関連付け関係は、いつも単純な１対１関係であるとは限らない。従って、この方法は、衝突を引き起こし、ランダムアクセス障害又は遅延の増大をもたらし得る。本願の一実施形態は、ランダムアクセス方法を提供し、ダウンリンク信号とＰＲＡＣＨリソースとの間の関連付け関係が１対１関係ではないとき、例えば１対多又は多対１関係であるとき、ネットワーク装置は、指示情報を配信する。その結果、端末は、指示情報を取得し、指示情報に基づきＰＲＡＣＨリソースを決定して、ランダムアクセスを開始する。
【００６２】
図４は、本願の一実施形態によるランダムアクセス方法の実装フローチャートである。図４に示すように、方法は以下のステップを含む。
【００６３】
Ｓ４１０：ネットワーク装置は端末へ構成情報要素を送信し、構成情報要素は、ダウンリンク信号とランダムアクセス機会との間の関連付け関係を示すために使用される。
【００６４】
端末は、ネットワーク装置から構成情報要素を受信し、以下の動作を実行する。
【００６５】
Ｓ４２０：端末は、構成情報要素に基づき、ダウンリンク信号とランダムアクセス機会（ＲＯ）との間の関連付け関係を決定する。
【００６６】
ダウンリンク信号とランダムアクセス機会との間の関連付け関係が１対多であるとき、つまり、１つのダウンリンク信号が複数のランダムアクセス機会に対応するとき、ネットワーク装置は、第１指示情報を送信し、端末は以下の動作Ｓ４３０を実行する。ダウンリンク信号とランダムアクセス機会との間の関連付け関係が多対１であるとき、つまり、複数のダウンリンク信号が１つのランダムアクセス機会に対応するとき、ネットワーク装置は、第２指示情報を送信し、端末は以下の動作Ｓ４４０を実行する。第１指示情報は、ＲＯを直接又は間接的に決定するために、端末により使用されてよい。ダウンリンク信号とランダムアクセス機会との間の関連付け関係が１対１であるとき、ネットワーク装置は、ＲＯを決定するために端末により使用されるべき指示情報を送信せず、端末は、ネットワーク装置から、ＲＯを決定するために端末により使用されるべき指示情報を受信せず、以下の動作Ｓ４５０を実行する。
【００６７】
Ｓ４３０：端末は、ネットワーク装置から第１指示情報を取得する。
【００６８】
Ｓ４４０：端末は、ネットワーク装置から第２指示情報を取得する。
【００６９】
Ｓ４５０：端末はＲＯを決定する。ダウンリンク信号とランダムアクセス機会との間の関連付け関係が多対１又は１対多であるとき、端末は、第１指示情報又は第２指示情報に基づきＲＯを決定する。ダウンリンク信号とランダムアクセス機会との間の関連付け関係が１対１であるとき、端末は、ダウンリンク信号に基づきＲＯを決定する。
【００７０】
ＲＯは、ランダムアクセスリソース、例えばＰＲＡＣＨリソース又はＰＲＡＣＨ機会とも呼ばれてよい。
【００７１】
本願の一実施形態では、関連付け関係の中のＲＯとｐｒｅａｍｂｌｅを送信するために使用される決定されたＲＯとの間を区別するために、ｐｒｅａｍｂｌｅを送信するために使用される決定されたＲＯは第１ＲＯと呼ばれてよい。
【００７２】
Ｓ４６０：端末は、第１ＲＯによりｐｒｅａｍｂｌｅを送信する。
【００７３】
ネットワーク装置は、第１ＲＯにより、端末により送信されたｐｒｅａｍｂｌｅを受信する。
【００７４】
Ｓ４７０：ネットワーク装置は、ランダムアクセス応答（random  access  response,  RAR）を送信する。ネットワーク装置は、端末へ送ＲＡＲを信して、第１ＲＯにより端末により送信されたプリアンブルが受信されたか否かを示してよい。
【００７５】
従来技術と比べると、本実施形態では、ネットワーク装置は、ダウンリンク信号とＲＯとの間の関連付け関係の異なる場合を区別し、異なる場合に異なる指示情報を配信する。ダウンリンク信号とＲＯとの間の関連付け関係の異なる場合について、端末は、非１対１の場合のみ、指示情報を受信し、無線インタフェースリソースを節約する。更に、非１対１の場合に、使用されるＲＯは、指示情報を用いて更に指定され、別の端末との衝突の可能性を低減する。
【００７６】
ダウンリンク信号は、例えばＳＳＢ又は端末により通常使用されるチャネル状態情報参照信号（channel  state  information  reference  signal,  CSI-RS）であってよい。
【００７７】
ネットワーク装置は、ＳＳＢ又はＣＳＩ−ＲＳのようなダウンリンク信号とランダムアクセスリソース（又はＲＯと呼ばれる）との間の関連付け関係を構成してよい。例えば、ＳＳＢとランダムアクセスリソースとの間の以下の３種類の関連付け関係が存在してよい：ＳＳＢとｐｒｅａｍｂｌｅ（コードと呼ばれてもよい、code）との間の関連付け関係、ＳＳＢとＲＯとの間の関連付け関係、ＳＳＢと共同時間／周波数及びコード（joint  time/frequency  and  code）との間の関連付け関係、である。第１関連付け関係では、ＳＳＢとｐｒｅａｍｂｌｅとの間の関連付け関係が構成される。第２関連付け関係では、ＳＳＢとＲＯとの間の関連付け関係が構成される。第３関連付け関係では、ＳＳＢとｐｒｅａｍｂｌｅとＲＯとの間の関連付け関係が構成される。
【００７８】
ネットワーク装置は、端末へ構成メッセージを送信する。構成メッセージは、第１構成情報要素を含み、第１構成情報要素は、ランダムアクセスリソースの時間ドメイン位置を示すために使用される。例えば、第１構成情報要素は、物理ランダムアクセスチャネル構成インデックス（prach-ConfigurationIndex）である。端末は、第１構成情報要素に基づき、時間ドメインにおけるランダムアクセスリソース（又はＰＲＡＣＨリソースと呼ばれる）を決定する。つまり、時間ドメインにおけるＲＯの位置を決定する。構成メッセージは、第２構成情報要素を含み、第２構成情報要素は、ランダムアクセスリソースの周波数ドメイン位置を示すために使用される。例えば、第２構成情報要素は、メッセージ１の周波数分割多重パラメータ（msg１-FDM）及びメッセージ１の周波数ドメイン開始点（msg１-FrequencyStart）である。端末は、第２構成情報要素に基づき、周波数ドメインにおけるランダムアクセスリソース（又はＰＲＡＣＨリソースと呼ばれる）を決定する。つまり、周波数ドメインにおけるＲＯの位置を決定する。
【００７９】
構成メッセージは、第３構成情報要素を含んでよい。第３構成情報要素は、ダウンリンク信号とランダムアクセスリソースとの間又はダウンリンク信号とＲＯとの間の関連付け関係を示すために使用される。例えば、第３構成情報要素は、ＲＡＣＨ−Ｏｃｃａｓｉｏｎ当たりのＳＳＢの数（ssb-perRACH-Occasion）である。端末は、第３構成情報要素に基づき、ダウンリンク信号とＲＯとの間の関連付け関係を決定する。つまり、ダウンリンク信号とランダムアクセスリソースとの間の関連付け関係を決定する。第３構成情報要素は、Ｓ４１０及びＳ４２０における構成情報要素である。本願の実施形態では、ＲＡＣＨ−Ｏｃｃａｓｉｏｎ及びＲＯは時には交互に使用される。ＲＡＣＨ−Ｏｃｃａｓｉｏｎ及びＲＯにより表される意味は同じであることが理解されるべきである。
【００８０】
ネットワーク装置は、１つの構成メッセージにより又は異なる構成メッセージにより、端末のために、第１〜第３構成情報要素を構成してよい。構成メッセージは、例えば、ＲＲＣシグナリングのような、より上位レイヤのシグナリングである。
【００８１】
関連付け関係は、対応と呼ばれてもよい。これは、本願において限定されない。
【００８２】
端末は、ＳＳＢとＲＯとの間の関連付け関係に基づき、ＳＳＢとＲＯ及び／又はｐｒｅａｍｂｌｅとの間の対応を決定してよい。例えば、ｓｓｂ−ｐｅｒＲＡＣＨ−Ｏｃｃａｓｉｏｎは、構成情報要素である。ｓｓｂ−ｐｅｒＲＡＣＨ−Ｏｃｃａｓｉｏｎの値は、１より大きく、１に等しく、又は１より小さくてよい。ｓｓｂ−ｐｅｒＲＡＣＨ−Ｏｃｃａｓｉｏｎが１より大きい場合、例えば１つのＲＯが２、４、８、又は１６個のＳＳＢに対応する場合、ｓｓｂ−ｐｅｒＲＡＣＨ−Ｏｃｃａｓｉｏｎの値は２、４、８、又は１６として表されてよく、ＳＳＢはＲＯ及びｐｒｅａｍｂｌｅの両方に関連付けられ、又はＳＳＢはｐｒｅａｍｂｌｅにのみ関連付けられる。非衝突型ランダムアクセス処理の中のｐｒｅａｍｂｌｅの数は、ｐｒｅａｍｂｌｅの合計数から、ＳＳＢ当たりの衝突型ｐｒｅａｍｂｌｅの数（CB-preambleperSSB）を差し引いたものに等しい。ｓｓｂ−ｐｅｒＲＡＣＨ−Ｏｃｃａｓｉｏｎが１以下である場合、例えば１つのＳＳＢが１、２、４、又は８個のＲＯに対応する場合、ｓｓｂ−ｐｅｒＲＡＣＨ−Ｏｃｃａｓｉｏｎの値は１、１／２、１／４、又は１／８として表されてよく、ＳＳＢはＲＡＣＨ−Ｏｃｃａｓｉｏｎにのみ関連付けられる。非衝突型ランダムアクセス処理の中のｐｒｅａｍｂｌｅの数は、ｐｒｅａｍｂｌｅの合計数から、ＣＢ−ｐｒｅａｍｂｌｅｓＰｅｒＳＳＢを差し引いたものに等しい。
【００８３】
１つのＳＳＢが複数のＲＯに関連付けられてよいことが分かる。従って、ランダムアクセス中に、端末は、ｐｒｅａｍｂｌｅを送信するために特に使用されるＲＯを決定できない。代替として、複数のＳＳＢが１つのＲＯに関連付けられてよい。この場合、端末は、ネットワーク装置に示されるべきＳＳＢを決定できない。
【００８４】
従って、ＳＳＢとＲＯとの間の関連付け関係が、１つのＳＳＢが複数のＲＯに対応するものであるとき、複数のＲＯの中の、ｐｒｅａｍｂｌｅを送信するために特に使用されるＲＯが決定される。ＳＳＢとＲＯとの間の関連付け関係が、複数のＳＳＢが１つのＲＯに対応するものであるとき、ＳＳＢは、複数のＳＳＢの中で決定されてよく、ｐｒｅａｍｂｌｅはＳＳＢに対応するＲＯにより送信される。ＳＳＢとＲＯとの間の関連付け関係が、１つのＳＳＢが複数のＲＯに対応するものであるとき、複数のＲＯの中の、ｐｒｅａｍｂｌｅを送信するために特に使用されるＲＯは、第１指示情報に基づき決定される。ＳＳＢとＲＯとの間の関連付け関係が、複数のＳＳＢが１つのＲＯに対応するものであるとき、ＳＳＢは、第２指示情報に基づき決定されてよく、ｐｒｅａｍｂｌｅはＳＳＢに対応するＲＯにより送信される。本願で提供されるランダムアクセス方法によると、ランダムアクセス機会は、比較的正確に決定できる。したがって、ランダムアクセスのために使用されるランダムアクセスリソースは、比較的正確に決定できる。
【００８５】
ネットワーク装置は複数のダウンリンク信号を生成し、各ダウンリンク信号はランダムアクセス構成情報に関連付けられ、異なるダウンリンク信号が送信のための異なるダウンリンク送信ビームで運ばれてよいので、マルチビーム処理が実装される。このように、本願の本実施形態で提供される技術的ソリューションは、５Ｇシステムと同様のマルチビームネットワークに適用できる。
【００８６】
本願の本実施形態は、ソリューションが５Ｇ  ＮＲシステムに適用される一例を用いて説明されるが、システムは５Ｇ  ＮＲシステムに限定されないことが理解され得る。本願のソリューションは、リソースが２つの通信パーティのうちの１つにより割り当てられる必要のある限り、適用されてよい。
【００８７】
更に、本願の本実施形態は、ダウンリンク信号がＳＳＢである一例を用いて説明されるが、ＳＳＢに限定されないことが理解され得る。例えば、ダウンリンク信号は、代替としてＣＳＩ−ＲＳであってよい。ダウンリンク信号がＣＳＩ−ＲＳである実装は、ダウンリンク信号がＳＳＢである実装と同様である。詳細はここで再び記載されない。
【００８８】
可能な例では、全部のＳＳＢに対応するｓｓｂ−ｐｅｒＲＡＣＨ−Ｏｃｃａｓｉｏｎの値は同じであり、ｓｓｂ−ｐｅｒＲＡＣＨ−Ｏｃｃａｓｉｏｎの値は｛１／８，１／４，１／２，１，２，４，８，１６｝であってよい。ｓｓｂ−ｐｅｒＲＡＣＨ−Ｏｃｃａｓｉｏｎの値が１より小さいとき、ＳＳＢとＲＯとの間の関連付け関係は、１つのＳＳＢが複数のＲＯに対応するものである。この場合、ＲＯは複数のＲＯの中で決定されてよい。ｓｓｂ−ｐｅｒＲＡＣＨ−Ｏｃｃａｓｉｏｎの値が１より大きいとき、ＳＳＢとＲＯとの間の関連付け関係は、複数のＳＳＢが１つのＲＯに対応するものである。この場合、ＳＳＢは複数のＳＳＢの中で決定されてよい。
【００８９】
本願の以下の実施形態では、ｓｓｂ−ｐｅｒＲＡＣＨ−Ｏｃｃａｓｉｏｎの値が１より小さい場合及びｓｓｂ−ｐｅｒＲＡＣＨ−Ｏｃｃａｓｉｏｎの値が１以上である場合について、別個のランダムアクセス実装処理が記載される。
【００９０】
先ず、本願の一実施形態では、ｓｓｂ−ｐｅｒＲＡＣＨ−Ｏｃｃａｓｉｏｎの値が１より小さい場合のランダムアクセス実装処理が記載される。
【００９１】
図５は、本願の一実施形態によるランダムアクセス方法の実装フローチャートである。図５に示すように、方法は以下のステップを含む。
【００９２】
Ｓ５１０：ネットワーク装置は、ＳＳＢとＲＯとの間の関連付け関係を決定する。ＳＳＢとＲＯとの間の関連付け関係は、１つのＳＳＢが複数のＲＯに対応するものである。
【００９３】
Ｓ５２０：ネットワーク装置は、第１指示情報を決定し送信する。第１指示情報は、複数のＲＯのうちの少なくとも１つのＲＯを示すために使用される。
【００９４】
可能な実装では、ＳＳＢ毎の利用可能なＲＯマスク（MASK）は、ＳＳＢとＲＯとの間の関連付け関係に基づき決定されてよい。第１指示情報は、マスクインデックス（MASK  INDEX）であってよい。ＲＯは、ＭＡＳＫ  ＩＮＤＥＸに基づき複数のＲＯの中で決定されてよく、端末に示される。端末は、決定されたＲＯによりランダムアクセスプリアンブルを送信してよい。
【００９５】
別の可能な実装では、第１指示情報は複数のビットを含み、各ビットは複数のＲＯのうちの１つに対応し、各ビットの値は、該ビットに対応するＲＯがｐｒｅａｍｂｌｅを送信するために使用されるか否かを示すために使用される。
【００９６】
異なるＲＯ  ＭＡＳＫは、ＳＳＢとＲＯとの間の異なる関連付け関係のために構成されてよい。ＲＯ  ＭＡＳＫは、第１指示情報の値と第１ＲＯとの間の対応を含んでよい。本願の一実施形態では、第１指示情報の値と、異なるＲＯ  ＭＡＳＫの中の第１ＲＯとの間の対応の各々は、第１対応と呼ばれてよい。端末は、第１対応に基づき、第１ＲＯを決定してよい。ネットワーク装置は、対応に基づき、第１ＲＯに対応する第１指示情報を決定してよい。マスクインデックスは、第１対応の中の第１指示情報の値であってよい。
【００９７】
具体的に、異なるＲＯ  ＭＡＳＫが異なる関連付け関係のために構成されることは、対応する第１対応が、ｓｓｂ−ｐｅｒＲＡＣＨ−Ｏｃｃａｓｉｏｎの値が｛１／８，１／４，１／２｝である３つの関連付け関係の各々について決定されることとして理解されてよい。具体的に、ｓｓｂ−ｐｅｒＲＡＣＨ−Ｏｃｃａｓｉｏｎの値が１／８であるとき、第１指示情報の値は３ビットの値であり、各値は１つのＲＯを示すために使用される、又は、第１指示情報は４ビットの値であり、８個の値が８個のＲＯを示すために使用され、１つの値が、任意のＲＯがダウンリンク信号に対応する全部のＲＯから選択できることを示すために使用され、１つの値は、奇数番号のＲＯを示すために使用され、１つの値は、偶数番号のＲＯを示すために使用され、他の値は予約される。
【００９８】
ｓｓｂ−ｐｅｒＲＡＣＨ−Ｏｃｃａｓｉｏｎの値が１／４であるとき、第１指示情報の値は２ビットの値であり、各値は１つのＲＯを示すために使用される、又は、第１指示情報は３ビットの値であり、４個の値が４個のＲＯを示すために使用され、１つの値が、任意のＲＯがダウンリンク信号に対応する全部のＲＯから選択できることを示すために使用され、１つの値は、奇数番号のＲＯを示すために使用され、１つの値は、偶数番号のＲＯを示すために使用され、他の値は予約される。
【００９９】
ｓｓｂ−ｐｅｒＲＡＣＨ−Ｏｃｃａｓｉｏｎの値が１／２であるとき、第１指示情報の値は１ビットの値であり、各値は１つのＲＯを示すために使用される、又は、第１指示情報は２ビットの値であり、２個の値が２個のＲＯを示すために使用され、１つの値が、任意のＲＯがダウンリンク信号に対応する全部のＲＯから選択できることを示すために使用され、他の値は予約される。
【０１００】
第１対応は、表の形式で表されてよい。従って、対応する表は、ｓｓｂ−ｐｅｒＲＡＣＨ−Ｏｃｃａｓｉｏｎの値が｛１／８，１／４，１／２｝である３つの関連付け関係の各々について決定される必要がある。例は以下の通りである：
【０１０１】
ｓｓｂ−ｐｅｒＲＡＣＨ−Ｏｃｃａｓｉｏｎの値が１／８であるとき、第１指示情報は、ＰＲＡＣＨマスクインデックス（PRACH  Mask  Index）であり、ＰＲＡＣＨ  ＭＡＳＫ  Ｉｎｄｅｘは４ビットを用いて示される。特定のＲＯ  ＭＡＳＫ構成方法は、ＰＲＡＣＨ  ＭＡＳＫ  Ｉｎｄｅｘと許可されたＲＯ（Allowed  RACH  occasion）との間の対応を含んでよい。詳細については、表２を参照する。
表２
【表２】
2021516924.tif 000004
【０１０２】
表２は、１６個のＰＲＡＣＨ  ＭＡＳＫ  Ｉｎｄｅｘを示し得る。８個のＰＲＡＣＨ  ＭＡＳＫ  Ｉｎｄｅｘは、８個のＲＡＣＨ−Ｏｃｃａｓｉｏｎの中で使用されるべき特定のＲＡＣＨ−Ｏｃｃａｓｉｏｎを示すために別個に使用される。１つのＰＲＡＣＨ  ＭＡＳＫ  Ｉｎｄｅｘは、「ａｌｌ」を示すために使用される。具体的に言うと、任意のＲＯが全部のＲＯから選択されてよい。２つのＰＲＡＣＨ  ＭＡＳＫ  Ｉｎｄｅｘは、それぞれ、偶数番号のＲＡＣＨ−Ｏｃｃａｓｉｏｎ又は奇数番号のＲＡＣＨ−Ｏｃｃａｓｉｏｎが使用されてよいことを示すために使用される。残りのＰＲＡＣＨ  ＭＡＳＫ  Ｉｎｄｅｘは、予約される（reserved）。代替として、ｓｓｂ−ｐｅｒＲＡＣＨ−Ｏｃｃａｓｉｏｎの値が１／８であるとき、ＰＲＡＣＨ  ＭＡＳＫ  Ｉｎｄｅｘは３ビットを用いて示される。特定のＲＯ  ＭＡＳＫ構成方法については、表３を参照する。
表３
【表３】
2021516924.tif 000005
【０１０３】
表３では、８個のＰＲＡＣＨ  ＭＡＳＫ  ＩＮＤＥＸが示され得る。８個のＰＲＡＣＨ  ＭＡＳＫ  ＩＮＤＥＸの全部がＲＯを示すために使用される。
【０１０４】
ｓｓｂ−ｐｅｒＲＡＣＨ−Ｏｃｃａｓｉｏｎの値が１／４であるとき、ＰＲＡＣＨ  ＭＡＳＫ  ＩＮＤＥＸは３ビットを用いて示される。特定のＲＯ  ＭＡＳＫ構成方法については、表４を参照する。
表４
【表４】
2021516924.tif 000006
【０１０５】
表４は、８個のＰＲＡＣＨ  ＭＡＳＫ  Ｉｎｄｅｘを示し得る。具体的に、４個のＰＲＡＣＨ  ＭＡＳＫ  ＩＮＤＥＸは、８個のＲＡＣＨ−Ｏｃｃａｓｉｏｎの中で使用されるべき特定のＲＡＣＨ−Ｏｃｃａｓｉｏｎを示すために別個に使用される。１つのＰＲＡＣＨ  ＭＡＳＫ  ＩＮＤＥＸは、「ａｌｌ」を示すために使用される。具体的に言うと、任意のRACH−Ｏｃｃａｓｉｏｎが全部のＲＯ−Ｏｃｃａｓｉｏｎの中で使用されてよい。２つのＰＲＡＣＨ  ＭＡＳＫ  ＩＮＤＥＸは、それぞれ、偶数番号のＲＡＣＨ−Ｏｃｃａｓｉｏｎ又は奇数番号のＲＡＣＨ−Ｏｃｃａｓｉｏｎが使用されてよいことを示すために使用される。残りのＰＲＡＣＨ  ＭＡＳＫ  ＩＮＤＥＸは、予約される（reserved）。
【０１０６】
ｓｓｂ−ｐｅｒＲＡＣＨ−Ｏｃｃａｓｉｏｎの値が１／４であるとき、ＰＲＡＣＨ  ＭＡＳＫ  ＩＮＤＥＸは２ビットを用いて示される。特定のＲＯ  ＭＡＳＫ構成方法については、表５を参照する。
表５
【表５】
2021516924.tif 000007
【０１０７】
表５は、８４個のＰＲＡＣＨ  ＭＡＳＫ  ＩＮＤＥＸを示し得る。４個のＰＲＡＣＨ  ＭＡＳＫ  ＩＮＤＥＸの全部がＲＯを示すために使用される。
【０１０８】
ｓｓｂ−ｐｅｒＲＡＣＨ−Ｏｃｃａｓｉｏｎの値が１／２であるとき、ＰＲＡＣＨ  ＭＡＳＫ  ＩＮＤＥＸは２ビットを用いて示される。特定のＲＯ  ＭＡＳＫ構成方法については、表６を参照する。
表６
【表６】
2021516924.tif 000008
【０１０９】
表６は、４個のＰＲＡＣＨ  ＭＡＳＫ  ＩＮＤＥＸを示し得る。具体的に、２個のＰＲＡＣＨ  ＭＡＳＫ  ＩＮＤＥＸは、４個のＲＡＣＨ−Ｏｃｃａｓｉｏｎの中で使用されるべき特定のＲＡＣＨ−Ｏｃｃａｓｉｏｎを示すために別個に使用される。１つのＰＲＡＣＨ  ＭＡＳＫ  ＩＮＤＥＸは、「ａｌｌ」を示すために使用される。具体的に言うと、任意のRACH−Ｏｃｃａｓｉｏｎが全部のＲＯ−Ｏｃｃａｓｉｏｎの中から選択されてよい。残りのＰＲＡＣＨ  ＭＡＳＫ  ＩＮＤＥＸは、予約される（reserved）。
【０１１０】
ｓｓｂ−ｐｅｒＲＡＣＨ−Ｏｃｃａｓｉｏｎの値が１／２であるとき、ＰＲＡＣＨ  ＭＡＳＫ  ＩＮＤＥＸは１ビットを用いて示される。特定のＲＯ  ＭＡＳＫ構成方法については、表７を参照する。
表７
【表７】
2021516924.tif 000009
【０１１１】
表７は、２個のＰＲＡＣＨ  ＭＡＳＫ  ＩＮＤＥＸを示し得る。２個のＰＲＡＣＨ  ＭＡＳＫ  ＩＮＤＥＸの両方がＲＯを示すために使用される。
【０１１２】
代替として、同じＲＯ  ＭＡＳＫが、ＳＳＢとＲＯとの間の異なる関連付け関係のために構成されてよい。ＲＯ  ＭＡＳＫは、第１指示情報の値と第１ＲＯとの間の対応を含んでよい。本願の一実施形態では、第１指示情報の値と、同じＲＯ  ＭＡＳＫの中の第１ＲＯとの間の対応は、第２対応と呼ばれてよい。端末は、第２対応に基づき、第１ＲＯを決定してよい。ネットワーク装置は、対応に基づき、第１ＲＯに対応する第２指示情報を決定してよい。マスクインデックスは、第２対応の中の第１指示情報の値である。
【０１１３】
具体的に、同じＲＯ  ＭＡＳＫが異なる関連付け関係のために構成されることは、決定された第２対応が、ｓｓｂ−ｐｅｒＲＡＣＨ−Ｏｃｃａｓｉｏｎの値が｛１／８，１／４，１／２｝である３つの関連付け関係の各々の中のＲＯを示すために使用されてよいこととして理解されてよい。例えば、第２対応は４ビットを用いて示されてよい。ＰＲＡＣＨ  ＭＡＳＫ  ＩＮＤＥＸは、４ビットの値であり、全部で１６個の値がある。１つの値は、任意のＲＯがＳＳＢに対応する全部のＲＯから選択できることを示すために使用される。２つの値は、ＳＳＢに対応する２つのＲＯの中の２つのＲＯを示すために使用される。２つの値は予約され又はＳＳＢに対応する４個のＲＯの中の２個のＲＯ以外の２個のＲＯを示すために使用される。２つの値は、予約され、又はＳＳＢに対応する８個のＲＯの中の４個のＲＯ以外の４個のＲＯを示すために使用される。１つの値は、ＳＳＢに対応する４又は８個のＲＯの中の奇数番号のＲＯを示すために使用される。１つの値は、ＳＳＢに対応する４又は８個のＲＯの中の偶数番号のＲＯを示すために使用される。他の値は予約される。第２対応は３ビットを用いて示されてよい。ＰＲＡＣＨ  ＭＡＳＫ  ＩＮＤＥＸは、３ビットの値であり、全部で８個の値がある。１つの値は、任意のＲＯがＳＳＢに対応する全部のＲＯから選択できることを示すために使用される。２つの値は、ＳＳＢに対応する２つのＲＯの中の２つのＲＯを示すために使用される。２つの値は予約され又はＳＳＢに対応する４個のＲＯの中の２個のＲＯ以外の２個のＲＯを示すために使用される。２つの値は、予約され、又はＳＳＢに対応する８個のＲＯの中の４個のＲＯ以外の４個のＲＯを示すために使用される。
【０１１４】
第２対応は、表の形式で表されてよい。従って、ｓｓｂ−ｐｅｒＲＡＣＨ−Ｏｃｃａｓｉｏｎの値が｛１／８，１／４，１／２｝である３つの関連付け関係の各々についての表の例は、表８又は表９に示される。
表８
【表８】
2021516924.tif 000010
【０１１５】
表８で、第２対応は４ビットを用いて示される。ａｌｌ  ＲＡＣＨ−Ｏｃｃａｓｉｏｎを示すために使用されるインデックスは、表の中で固定され、全部のｓｓｂ−ｐｅｒＲＡＣＨ−Ｏｃｃａｓｉｏｎについて利用可能である。奇数番号のＲＡＣＨ−Ｏｃｃａｓｉｏｎ又は偶数番号のＲＡＣＨ−Ｏｃｃａｓｉｏｎを示すために使用されるインデックスは、１／４又は１／８の値を有するｓｓｂ−ｐｅｒＲＡＣＨ−Ｏｃｃａｓｉｏｎにのみ利用可能である。表８の中の全部のエントリは、１／８の値を有するｓｓｂ−ｐｅｒＲＡＣＨ−Ｏｃｃａｓｉｏｎに利用可能である。ｓｓｂ−ｐｅｒＲＡＣＨ−Ｏｃｃａｓｉｏｎの値が１／４であるとき、ＰＲＡＣＨ  ＭＡＳＫ  ＩＮＤＥＸ５〜８は利用可能ではない。ｓｓｂ−ｐｅｒＲＡＣＨ−Ｏｃｃａｓｉｏｎの値が１／２であるとき、表８の中のＰＲＡＣＨ  ＭＡＳＫ  ＩＮＤＥＸ３〜８は利用可能ではない。ｓｓｂ−ｐｅｒＲＡＣＨ−Ｏｃｃａｓｉｏｎの値が１であるとき、表８の中のＰＲＡＣＨ  ＭＡＳＫ  ＩＮＤＥＸ１のみが利用可能である。
表９
【表９】
2021516924.tif 000011
【０１１６】
表９で、第２対応は３ビットを用いて示される。表９の中の全部のエントリは、１／８の値を有するｓｓｂ−ｐｅｒＲＡＣＨ−Ｏｃｃａｓｉｏｎに利用可能である。ｓｓｂ−ｐｅｒＲＡＣＨ−Ｏｃｃａｓｉｏｎの値が１／４であるとき、ＰＲＡＣＨ  ＭＡＳＫ  ＩＮＤＥＸ５〜８は利用可能ではない。ｓｓｂ−ｐｅｒＲＡＣＨ−Ｏｃｃａｓｉｏｎの値が１／２であるとき、表９の中のＰＲＡＣＨ  ＭＡＳＫ  ＩＮＤＥＸ３〜８は利用可能ではない。ｓｓｂ−ｐｅｒＲＡＣＨ−Ｏｃｃａｓｉｏｎの値が１であるとき、表９の中のＰＲＡＣＨ  ＭＡＳＫ  ＩＮＤＥＸ１のみが利用可能である。
【０１１７】
Ｓ５３０：端末は、ＳＳＢとＲＯとの間の関連付け関係を決定し、ＳＳＢとＲＯとの間の関連付け関係が、１つのＳＳＢが複数のＲＯに対応するものであるとき、第１指示情報を取得する。
【０１１８】
具体的に、第１指示情報は、ＰＲＡＣＨ  ＭＡＳＫ  ＩＮＤＥＸであってよい。端末は、ＳＳＢとＲＯとの間の関連付け関係が、１つのＳＳＢが複数のＲＯに対応するものであると決定すると、ＰＲＡＣＨ  ＭＡＳＫ  ＩＮＤＥＸを取得してよい。
【０１１９】
Ｓ５４０：第１指示情報（ＰＲＡＣＨ  ＭＡＳＫ  ＩＮＤＥＸ）に基づきＲＯを決定する。
【０１２０】
ＲＯが、ＰＲＡＣＨ  ＭＡＳＫ  ＩＮＤＥＸに基づき決定されるとき、ＲＯは、可憐するＰＲＡＣＨ  ＭＡＳＫ  ＩＮＤＥＸにより示された前述のＲＯに基づき決定されてよい。ＰＲＡＣＨ  ＭＡＳＫ  ＩＮＤＥＸにより示されるＲＯは、ここで再び説明されない。
【０１２１】
Ｓ５５０：決定されたＲＯによりｐｒｅａｍｂｌｅを送信する。
【０１２２】
本願の本実施形態では、ＳＳＢとＲＯとの間の関連付け関係が、１つのＳＳＢが複数のＲＯに対応するものであるとき、ネットワーク装置は、複数のＲＯのうちの少なくとも１つのＲＯを示す第１指示情報を決定し送信し、端末は、ＳＳＢ毎に、第１指示情報を取得することにより、複数のＲＯの中でｐｒｅａｍｂｌｅを送信するために使用されるＲＯを決定してよい。更に、全部のＳＳＢが、同じＲＯ関連付け関係を有するので、本願の実施形態では、全部のＳＳＢのＲＯが、１つのＳＳＢに対応するＲＯ  ＭＡＳＫ構成を用いて示されてよい。例えば、８個のビーム（ＳＳＢ）があり、ビーム毎に４個の可能なＰＲＡＣＨリソースがあってよい。この場合、可能なＰＲＡＣＨリソースは、４個のインデックスを用いて示されてよく、可能なＰＲＡＣＨリソースを示すために３２個のインデックスを使用する必要がなく、インデックスを示すためのビットの数を削減する。
【０１２３】
次に、本願の一実施形態では、ｓｓｂ−ｐｅｒＲＡＣＨ−Ｏｃｃａｓｉｏｎの値が１以上である場合のランダムアクセス実装処理が記載される。
【０１２４】
図６は、本願の一実施形態による別のランダムアクセス方法の実装フローチャートである。図６に示すように、方法は以下のステップを含む。
【０１２５】
Ｓ６１０：ネットワーク装置は、ＳＳＢとＲＯとの間の関連付け関係を決定する。ＳＳＢとＲＯとの間の関連付け関係は、複数のＳＳＢが１つのＲＯに対応するものであり、又は、勿論、１つのＳＳＢが１つのＲＯに対応してよい。
【０１２６】
Ｓ６２０：ネットワーク装置は、第２指示情報を決定し送信する。第２指示情報は、１つのＲＯに対応する複数のＳＳＢのうちの少なくとも１つのＳＳＢを示すために使用される。
【０１２７】
第２指示情報は複数のビットを含んでよく、各ビットは複数のＳＳＢのうちの１つに対応し、各ビットの値は、該ビットに対応するＳＳＢに対応するＲＯがｐｒｅａｍｂｌｅを送信するために使用されるか否かを示すために使用される。
【０１２８】
具体的に、本願の一実施形態では、複数のＳＳＢが１つのＲＯに対応するとき、ｓｓｂ−ｐｅｒＲＡＣＨ−Ｏｃｃａｓｉｏｎの値は｛２，４，８，１６｝であってよい。ｓｓｂ−ｐｅｒＲＡＣＨ−Ｏｃｃａｓｉｏｎの値がＸであると仮定すると、第２指示情報は、Ｘ個のビットを含むビットマップであってよい。ビットマップの中の設定されたビットは、設定されたビットに対応するＳＳＢが使用できることを示す。Ｘは、１つのＲＯに対応するＳＳＢの数である。具体的に、Ｘの値は、２、４、６、又は１６であり、又は１であってよい。例えば、ソリューションでは、Ｘ個のビットは、端末により使用されるべき１つのＳＳＢ又は幾つかのＳＳＢを示すために使用される。端末がネットワーク装置にＳＳＢを報告する場合、ネットワーク装置は、端末へメッセージ２（ｍｓｇ２）を送信するために使用されるダウンリンクビームを決定し、ｍｓｇ２を対応するＳＳＢにより配信してよい。ＳＳＢが使用されると示される場合、ＳＳＢに対応するｍａｓｋのビットは１に設定される。ＳＳＢが使用されないと示される場合、ＳＳＢに対応するＭＡＳＫのビットは０に設定される。
【０１２９】
代替として、第２指示情報は、Ｎビット情報の少なくとも１つの値であり、Ｎビット情報の複数の値が、複数のダウンリンク信号を示すために使用される。例えば、第２指示情報は、代替として、Ｘビットの対数値に対応するビット値であってよい。例えば、ｌｏｇ２（Ｘ）ビットは、アクセスのために端末により使用されるべきＳＳＢを示すために使用され、対応するｍｓｇ２は、対応するＳＳＢビームにより配信される。例えば、端末は、受信可能なＸ＝１６個のＳＳＢを測定し報告し、ネットワーク装置は、４ビットマスクを用いて、端末により実行されるランダムアクセスに関連付けられたＳＳＢを示す。４ビットＳＳＢマスク指示方法は、表１０に示され、最大で１６個のＳＳＢが示されてよい。
表１０
【表１０】
2021516924.tif 000012
【０１３０】
Ｘ＝１，２，４，又は８であるとき、表１０の部分集合が使用されてよい。代替として、指示のために４個のビットが固定的に使用される。Ｘ＝１，２，４，又は８であるとき、表９の重複するエントリは予約フィールドである。
【０１３１】
Ｓ６３０：端末は、ＳＳＢとＲＯとの間の関連付け関係を決定し、ＳＳＢとＲＯとの間の関連付け関係が、複数のＳＳＢが１つのＲＯに対応するものであると決定すると、第２指示情報を取得する。
【０１３２】
本願の一実施形態では、第２指示情報は複数のビットを含んでよく、各ビットは複数のＳＳＢのうちの１つに対応し、各ビットの値は、該ビットに対応するＳＳＢに対応するＲＯが、ランダムアクセスプリアンブルを送信するために使用されるか否かを示すために使用され、又は、第２指示情報は、Ｎビット情報の少なくとも１つの値であり、Ｎビット情報の複数の値は、複数のＳＳＢを示すために使用される。
【０１３３】
Ｓ６４０：第２指示情報に基づき、第１ＳＳＢとして、複数のＳＳＢの中の少なくとも１つのＳＳＢを決定する。
【０１３４】
第２指示情報が複数のビットを含むとき、各ビットは複数のＳＳＢのうちの１つに対応し、値により示されるＳＳＢに対応するＲＯは、ｐｒｅａｍｂｌｅを送信するために使用されるべきであると決定される。例えば、第２指示情報がＸ個のビットを含むビットマップであるとき、ビットマップの中の設定されたビットは、該設定されたビットに対応するＳＳＢに対応するＲＯが、ｐｒｅａｍｂｌｅを送信するために使用されることを示す。代替として、第２指示情報がＮビット情報の少なくとも１つの値であるとき、Ｎビット情報の複数の値に基づき、複数のＳＳＢに対応するＲＯがｐｒｅａｍｂｌｅを送信するために使用されることが決定されてよい。例えば、第２指示情報がＸ個のビットの対数の値に対応するビット値であるとき、該ビット値により示されたＳＳＢに対応するＲＯは、ｐｒｅａｍｂｌｅを送信するために使用される。
【０１３５】
Ｓ６５０：第１ＲＯとして決定された第１ＳＳＢに対応するＲＯを使用し、決定された第１ＲＯによりｐｒｅａｍｂｌｅを送信する。
【０１３６】
本願の本実施形態では、ＳＳＢとＲＯとの間の関連付け関係が、複数のＳＳＢが１つのＲＯに対応するものであるとき、ネットワーク装置は、複数のＳＳＢのうちの少なくとも１つのＳＳＢを第１ＳＳＢとして示す第２指示情報を決定し送信し、端末は、第２指示情報を取得することにより、複数のＳＳＢの中で第１ＳＳＢを決定し、決定した第１ＳＳＢに対応するＲＯを第１ＲＯとして使用してよい。更に、端末は、ネットワーク装置に示されるべきＳＳＢ、及び対応するＳＳＢにより配信されるべきｍｓｇ２を決定してよい。ここで、ＳＳＢはネットワーク装置により指定される。指定されたＳＳＢは、迅速なアクセスを促進するために、軽い負荷、比較的小さな干渉、及び良好な品質を有するＳＳＢであってよい。
【０１３７】
本願の前述の実施形態では、ｓｓｂ−ｐｅｒＲＡＣＨ−Ｏｃｃａｓｉｏｎの値が１より小さいか、又はｓｓｂ−ｐｅｒＲＡＣＨ−Ｏｃｃａｓｉｏｎの値が１以上であるかに関わらず、ネットワーク側は、端末が複数のランダムアクセスプリアンブルをランダムアクセス処理の中で送信してよいことを構成する。例えば、ＲＡＣＨ−Ｏｃｃａｓｉｏｎ  ｍａｓｋがｍｕｌｔｉｐｌｅ  ｍｓｇ１の送信を示すために使用される場合、複数のＲＡＣＨ−Ｏｃｃａｓｉｏｎがｐｒｅａｍｂｌｅを送信するために使用されると決定されてよい。
【０１３８】
本願の一実施形態では、Ｋ個のＲＯがＫ個のランダムアクセスプリアンブルを送信するために使用され、Ｋが２以上の正整数である一例が説明のために使用される。本願の実施形態では、例えば、Ｋ個のランダムアクセスプリアンブルに対応するＲＯが、以下の方法で決定されてよい。
【０１３９】
ソリューション１：ＳＳＢとＲＯとの間の関連付け関係が、１つのＳＳＢがＫ個のＲＯに対応するものである。つまり、Ｋ個のＲＯが同じＳＳＢに関連付けられる。ＲＯ毎に、対応するＲＡＣＨ−Ｏｃｃａｓｉｏｎ  ｍａｓｋが構成され、全部でＫ個のＲＯ  ＭＡＳＫが構成される。第１指示情報は、Ｋ個の第１ＲＯを示すために使用され、第１指示情報は、Ｋ個の第１ＲＯに対応するＫ個のマスクインデックスを含む。各第１ＲＯを決定する処理の特定の実装については、前述の実施形態における、ｓｓｂ−ｐｅｒＲＡＣＨ−Ｏｃｃａｓｉｏｎの値が１より小さいとき、ＲＯ  ｍａｓｋにより決定する方法を参照する。代替として、第１指示情報は複数のビットを含み、各ビットは複数のＲＯのうちの１つに対応し、各ビットの値は、対応するＲＯがｐｒｅａｍｂｌｅを送信するために使用されるか否かを示すために使用され、複数のビットの中のＫ個のビットの値は、Ｋ個のビットに対応するＲＯがｐｒｅａｍｂｌｅを送信するために使用されることを示す。例えば、８ビットのビットマップ（bitmap）が、ｐｒｅａｍｂｌｅを送信できるＲＯを示すために使用される。ｐｒｅａｍｂｌｅを送信するために使用できるＲＯに対応するビットは１に設定される。或いは、ｐｒｅａｍｂｌｅを送信するために使用できないＲＯに対応するビットは０に設定される。例えば、Ｋ＝８、ＲＯ  ｍａｓｋ＝１０１１００１０ならば、ＵＥは、０、２、３、及び６のＲＯ  ｉｎｄｅｘを有するＲＯでｐｒｅａｍｂｌｅを送信する。
【０１４０】
ソリューション２：Ｋ個のＲＯがＭ個のＳＳＢに関連付けられ、Ｍは２以上の正整数であり、Ｋ個の第１ＲＯは、第１指示情報及び第２指示情報に基づき決定されてよい。
【０１４１】
可能な実装では、第２指示情報は複数のビットを含み、各ビットは複数のダウンリンク信号のうちの１つに対応し、各ビットの値は、該ビットに対応するダウンリンク信号に対応するランダムアクセス機会がランダムアクセスプリアンブルを送信するために使用されるか否かを示し、複数のビットの中のＭ個のビットの値は、Ｍ個のビットに対応するダウンリンク信号に対応するランダムアクセス機会がランダムアクセスプリアンブルを送信するために使用されることを示し、第１指示情報は、複数のビットを含み、各ビットは、複数のランダムアクセス機会のうちの１つに対応し、各ビットの値は、該各ビットに対応するランダムアクセス機会がランダムアクセスプリアンブルを送信するために使用されるか否かを示し、複数のビットの中のＫ／Ｍ個のビットの値は、Ｋ／Ｍ個のビットに対応するランダムアクセス機会がランダムアクセスプリアンブルを送信するために使用されることを示す。例えば、Ｋ＝８、Ｍ＝２であり、各ＳＳＢは４個のＲＯに関連付けられる。基地局は４個のＳＳＢを構成し、各ＳＳＢは８個のＲＯに関連付けられる。この場合、ＲＯ  ｍａｓｋ＝０１０１＋０１０１０１０１は、ｐｒｅａｍｂｌｅが、第１及び第３ＳＳＢに関連付けられた第１、第３、第４、及び第７ＲＯで送信されることを意味する。ｐｒｅａｍｂｌｅを送信するために全部で８個のＲＯがある。
【０１４２】
本願の実施形態における前述のソリューション１及びソリューション２の実装処理は、説明のための単なる例であることが理解され得る。実際の実装処理では、第１指示情報及び第２指示情報の特定の形式は、ランダムに結合されてよい。例えば、第２指示情報はビットマップであり、第１指示情報はビットマップ又はマスクインデックスである。別の例では、第２指示情報は値であり、第１指示情報はビットマップ又はマスクインデックスである。
【０１４３】
以上は、主に、本願の実施形態で提供されるソリューションを、端末とネットワーク装置との間の相互作用の観点から説明した。前述の機能を実装するために、端末及びネットワーク装置は、機能を実行する対応するハードウェア構造及び／又はソフトウェアモジュールを含むことが理解され得る。本願で開示された実施形態で説明した各々の例のユニット及びアルゴリズムを参照して、本願の実施形態は、ハードウェア又はハードウェアとコンピュータソフトウェアとの組み合わせの形式で実装されてよい。機能がハードウェア又はコンピュータソフトウェアにより駆動されるハードウェアにより実行されるかは、技術的ソリューションの特定の適用及び設計制約に依存する。当業者は、特定の適用毎に、記載の機能を実施するために異なる方法を使用してよいが、実装が本願の実施形態の技術的ソリューションの範囲を超えると考えられるべきではない。
【０１４４】
本願の一実施形態では、機能ユニットへの分割は、前述の方法の例に基づき、端末及びネットワーク装置において実行されてよい。例えば、各機能ユニットは、対応する機能に基づき分割を通じ得られてよく、又は２つ以上の機能が１つの処理ユニットに統合されてよい。統合されたユニットは、ハードウェアの形式で実装されてよく、又はソフトウェア機能ユニットの形式で実装されてよい。
【０１４５】
同じ発明の概念に基づき、本願の実施形態のうちの１つの実施形態は、前述の方法のうちのいずれか１つを実装するよう構成される機器を更に提供する。例えば、機器であって、前述の方法のうちのいずれか１つにおける端末により実行されるステップを実装するよう構成されるユニット（又は手段）を含む機器が提供される。別の例では、別の機器であって、前述の方法のうちのいずれか１つにおけるネットワーク装置により実行されるステップを実装するよう構成されるユニット（又は手段）を含む別の機器が更に提供される。
【０１４６】
可能な実装では、本願の実施形態は、ランダムアクセス機器７００を提供する。ランダムアクセス機器７００は、端末に適用されてよい。図７は、本願の一実施形態によるランダムアクセス機器７００の概略構造図である。図７を参照すると、ランダムアクセス機器７００は、処理ユニット７０１、受信ユニット７０２、及び送信ユニット７０３を含む。処理ユニット７０１は、ＳＳＢとＲＯとの間の関連付け関係を決定するよう構成される。受信ユニット７０２は、処理ユニット７０１が、ＳＳＢとＲＯとの間の関連付け関係が、１つのＳＳＢが複数のＲＯに対応するものであると決定すると、第１指示情報を取得する。代替として、受信ユニット７０２は、処理ユニット７０１が、ＳＳＢとＲＯとの間の関連付け関係が、複数のＳＳＢが１つのＲＯに対応するものであると決定すると、第２指示情報を取得する。処理ユニット７０１は、第１指示情報及び／又は第２指示情報に基づき第１ＲＯを決定する。送信ユニット７０３は、処理ユニット７０１により決定された第１ＲＯにより、ｐｒｅａｍｂｌｅを送信するよう構成される。
【０１４７】
別の可能な実装では、本願の実施形態は、ランダムアクセス機器８００を更に提供する。ランダムアクセス機器８００は、ネットワーク装置に適用されてよい。図８は、本願の一実施形態によるランダムアクセス機器８００の概略構造図である。図８を参照すると、ランダムアクセス機器８００は、処理ユニット８０１、受信ユニット８０２、及び送信ユニット８０３を含む。送信ユニット８０２は、構成情報要素を送信するよう構成され、構成情報要素は、ＳＳＢとＲＯとの間の関連付け関係を示すために使用される。処理ユニット８０１が、ＳＳＢとＲＯとの間の関連付け関係が、１つのＳＳＢが複数のＲＯに対応するものであると決定すると、送信ユニット８０２は第１指示情報を送信する。及び／又は、処理ユニット８０１が、ＳＳＢとＲＯとの間の関連付け関係が、複数のＳＳＢが１つのＲＯに対応するものであると決定すると、送信ユニット８０２は、端末へ第２指示情報を送信する。ここで、第１指示情報及び／又は第２指示情報は、ｐｒｅａｍｂｌｅを送信するための第１ＲＯを決定するために使用される。受信ユニット８０３は、第１ＲＯにより送信されたランダムアクセスプリアンブルを受信するよう構成される。
【０１４８】
ランダムアクセス機器７００及びランダムアクセス機器８００により使用される第１指示情報は、１つのＳＳＢに対応する複数のＲＯのうちの少なくとも１つのＲＯを示すために使用される。
【０１４９】
具体的に、第１指示情報は、ＭＡＳＫ  ＩＮＤＥＸであってよい。代替として、第１指示情報は複数のビットを含み、各ビットは複数のＲＯのうちの１つに対応し、各ビットの値は、該ビットに対応するＲＯがｐｒｅａｍｂｌｅを送信するために使用されるか否かを示すために使用される。
【０１５０】
可能な実装では、異なるＲＯ  ＭＡＳＫは、ＳＳＢとＲＯとの間の異なる関連付け関係のために構成されてよい。ＲＯ  ＭＡＳＫは、第１指示情報の値と第１ＲＯとの間の対応を含んでよい。本願の一実施形態では、第１指示情報の値と、異なるＲＯ  ＭＡＳＫの中の第１ＲＯとの間の対応の各々は、第１対応と呼ばれてよい。第１ＲＯは、第１対応に基づき決定される。マスクインデックスは、第１対応の中の第１指示情報の値であってよい。
【０１５１】
第１指示情報の値と第１対応の中のＲＯとの間の対応は、以下の通りである。
１つのＳＳＢが８個のＲＯに対応するとき、第１指示情報の値は３ビットの値であり、各値は１つのＲＯを示すために使用される、又は、マスクインデックスは４ビットの値であり、８個の値が８個のＲＯを示すために使用され、１つの値が、任意のＲＯがＳＳＢに対応する全部のＲＯから選択できることを示すために使用され、１つの値は、奇数番号のＲＯを示すために使用され、１つの値は、偶数番号のＲＯを示すために使用され、他の値は予約される。
１つのＳＳＢが４個のＲＯに対応するとき、第１指示情報の値は２ビットの値であり、各値は１つのＲＯを示すために使用される、又は、マスクインデックスは３ビットの値であり、４個の値が４個のＲＯを示すために使用され、１つの値が、任意のＲＯがＳＳＢに対応する全部のＲＯから選択できることを示すために使用され、１つの値は、奇数番号のＲＯを示すために使用され、１つの値は、偶数番号のＲＯを示すために使用され、他の値は予約される。或いは、
ＳＳＢが２つのＲＯに対応するとき、第１指示情報の値は１ビットの値であり、各値は１つのＲＯを示すために使用される、又は、マスクインデックスは２ビットの値であり、２個の値が２個のＲＯを示すために使用され、１つの値が、任意のＲＯがＳＳＢに対応する全部のＲＯから選択できることを示すために使用され、他の値は予約される。
【０１５２】
別の可能な例では、同じＲＯ  ＭＡＳＫが、ＳＳＢとＲＯとの間の異なる関連付け関係のために構成されてよい。ＲＯ  ＭＡＳＫは、第１指示情報の値と第１ＲＯとの間の対応を含んでよい。本願の一実施形態では、第１指示情報の値と、同じＲＯ  ＭＡＳＫの中の第１ＲＯとの間の対応は、第２対応と呼ばれてよい。マスクインデックスは、第２対応の中の第１指示情報の値であってよい。
【０１５３】
第１指示情報の値と第２対応の中の第１ＲＯとの間の対応は、以下の通りである。
第１指示情報は４ビット情報の値である。１つの値は、任意のＲＯがＳＳＢに対応する全部のＲＯから選択できることを示すために使用される。２つの値は、ＳＳＢに対応する２つのＲＯの中の２つのＲＯを示すために使用される。２つの値は予約され又はＳＳＢに対応する４個のＲＯの中の２個のＲＯ以外の２個のＲＯを示すために使用される。２つの値は、予約され、又はＳＳＢに対応する８個のＲＯの中の４個のＲＯ以外の４個のＲＯを示すために使用される。１つの値は、ＳＳＢに対応する４又は８個のＲＯの中の奇数番号のＲＯを示すために使用される。１つの値は、ＳＳＢに対応する４又は８個のＲＯの中の偶数番号のＲＯを示すために使用される。他の値は予約される。或いは、
第１指示情報は３ビットの値である。１つの値は、任意のＲＯがＳＳＢに対応する全部のＲＯから選択できることを示すために使用される。２つの値は、ＳＳＢに対応する２つのＲＯの中の２つのＲＯを示すために使用される。２つの値は予約され又はＳＳＢに対応する４個のＲＯの中の２個のＲＯ以外の２個のＲＯを示すために使用される。２つの値は、予約され、又はＳＳＢに対応する８個のＲＯの中の４個のＲＯ以外の４個のＲＯを示すために使用される。
【０１５４】
本願の実施形態では、異なる又は同じランダムアクセスマスクが、ＳＳＢとＲＯとの間の異なる関連付け関係のために構成される。その結果、ＳＳＢのためのＲＯは、ランダムアクセスマスクを用いて示すことができる。更に、全部のＳＳＢが、同じＲＯ関連付け関係を有するので、本願の実施形態では、全部のＳＳＢのＲＯが、１つのＳＳＢに対応するランダムアクセスマスク構成を用いて示されてよい。
【０１５５】
別の可能な実装では、本願の実施形態では、第２指示情報は、１つのＲＯに対応する複数のＳＳＢのうちの少なくとも１つのＳＳＢを示すために使用されてよい。第２指示情報に基づく第１ランダムアクセス機会を決定するステップは、第２指示情報に基づき第１ＳＳＢを決定するステップと、第１ＳＳＢに対応するＲＯを第１ＲＯとしｔ決定するステップと、を含む。
【０１５６】
前記第２指示情報は複数のビットを含み、各ビットは前記複数のダウンリンク信号のうちの１つに対応し、各ビットの値は、該ビットに対応するダウンリンク信号に対応するランダムアクセス機会が、ランダムアクセスプリアンブルを送信するために使用されるか否かを示すために使用され、又は、前記第２指示情報は、Ｎビット情報の少なくとも１つの値であり、前記Ｎビット情報の複数の値は、前記複数のダウンリンク信号を示すために使用される。
【０１５７】
本願の本実施形態では、ＳＳＢとＲＯとの間の関連付け関係が、複数のＳＳＢが１つのＲＯに対応するものであるとき、複数のＳＳＢのうちの少なくとも１つのＳＳＢを示す第２指示情報が、複数のＳＳＢの中で第１ＳＳＢを決定するために使用されてよく、決定した第１ＳＳＢに対応するＲＯがｐｒｅａｍｂｌｅを送信するために第１ＲＯとして使用される。更に、端末は、ネットワーク装置に示されるべき第１ＳＳＢ、及び対応する第１ＳＳＢにより配信されるべきｍｓｇ２を決定してよい。ここで、第１ＳＳＢはネットワーク装置により指定される。指定された第１ＳＳＢは、迅速なアクセスを促進するために、軽い負荷、比較的小さな干渉、及び良好な品質を有する第１ＳＳＢであってよい。
【０１５８】
更に別の可能な実装では、Ｋ個のｐｒｅａｍｂｌｅがＫ個のＲＯにより送信され、Ｋは２以上の正整数である。
【０１５９】
１つのＳＳＢがＫ個のＲＯに対応するとき、第１指示情報は、Ｋ個の第１ＲＯを示すために使用され、
第１指示情報は、Ｋ個の第１ＲＯに対応するＫ個のマスクインデックスを含み、又は、
第１指示情報は複数のビットを含み、各ビットは複数のＲＯのうちの１つに対応し、各ビットの値は、該ビットに対応するＲＯがランダムアクセスプリアンブルを送信するために使用されるか否かを示すために使用され、複数のビットの中のＫ個のビットの値は、Ｋ個のビットに対応するＲＯがｐｒｅａｍｂｌｅを送信するために使用されることを示す。
【０１６０】
Ｋ個の第１ＲＯがＭ個のＳＳＢに関連付けられ、Ｍは２以上の正整数であるとき、Ｋ個の第１ＲＯは、第１指示情報及び第２指示情報に基づき決定される。
【０１６１】
更に、第２指示情報は複数のビットを含み、各ビットは複数のＳＳＢのうちの１つに対応し、各ビットの値は、該ビットに対応するＳＳＢに対応するＲＯがｐｒｅａｍｂｌｅを送信するために使用されるか否かを示すために使用され、複数のビットの中のＭ個のビットの値は、Ｍ個のビットに対応するＳＳＢに対応するＲＯがｐｒｅａｍｂｌｅを送信するために使用されることを示すために使用される。第１指示情報は複数のビットを含んでよく、各ビットは複数のＲＯのうちの１つに対応し、各ビットの値は、該ビットに対応するＲＯがｐｒｅａｍｂｌｅを送信するために使用されるか否かを示すために使用され、複数のビットの中のＫ／Ｍ個のビットの値は、Ｋ／Ｍ個のビットに対応するＲＯがｐｒｅａｍｂｌｅを送信するために使用されることを示す。
【０１６２】
理解されるべきことに、機器におけるユニットへの分割は、単なる論理的な機能分割である。実際の実装では、ユニットのうちの全部又は一部が、物理的装置に統合されてよく、又は物理的に分離されてよい。更に、機器の中の全部のユニットが、処理要素により呼び出されるソフトウェアの形式で実装されてよく、又はハードウェアの形式で実装されてよく、又は、幾つかのユニットが、処理要素により呼び出されるソフトウェアの形式で実装されてよく、且つ幾つかのユニットがハードウェアの形式で実装されてよい。例えば、一実装では、各ユニットは、別個に配置された処理要素であってよく、又は機器のチップに統合されてよい。代替として、各ユニットは、ユニットの機能を実行するために、機器の処理要素により呼び出されるプログラムの形式でメモリに格納されてよい。更に、これらのユニットは、全部又は部分的に統合されてよく、又は独立して実装されてよい。処理要素は、ここでは、プロセッサと呼ばれてもよく、信号処理能力を有する集積回路であってよい。実装処理において、前述の方法のステップ又は前述のユニットは、処理要素の中のハードウェア集積論理回路により実装されてよく、又は処理要素により呼び出されるソフトウェアの形式で実装されてよい。
【０１６３】
一例では、前述の機器のうちのいずれか１つの中のユニットは、前述の方法を実装するよう構成される１つ以上の集積回路、例えば、１つ以上の特定用途向け集積回路（application  specific  integrated  circuit,  ASIC）、１つ以上のマイクロプロセッサ（digital  signal  processor,  DSP）、１つ以上のフィールドプログラマブルゲートアレイ（field  programmable  gate  array,  FPGA）、又はこれらの種類の集積回路の少なくとも２つの組み合わせであってよい。別の例では、機器の中のユニットが、処理要素によりプログラムをスケジューリングすることにより実装されるとき、処理要素は、汎用プロセッサ、例えば、中央処理ユニット（central  processing  unit,  CPU）又はプログラムを呼び出し可能な別のプロセッサであってよい。更に別の例では、ユニットは、統合され、システムオンチップ（system-on-a-chip,  SOC）の形式で実装されてよい。
【０１６４】
前述の受信ユニットは、機器のインタフェース回路であり、別の機器から信号を受信するよう構成される。例えば、機器がチップの方法で実装されるとき、受信ユニットは、別のチップ又は機器から信号を受信するよう構成される、チップのインタフェース回路である。前述の送信ユニットは、機器のインタフェース回路であり、別の機器へ信号を送信するよう構成される。例えば、機器がチップの方法で実装されるとき、送信ユニットは、別のチップ又は機器へ信号を送信するよう構成される、チップのインタフェース回路である。
【０１６５】
図９は、本願の一実施形態による端末の概略構造図である。端末は、前述の実施形態における端末の動作を実装するよう構成される、前述の実施形態における端末であってよい。図９に示すように、端末は、アンテナ９０１、無線周波数部９０２、及び信号処理部９０３を含む。アンテナ９０１は、無線周波数部９０２に接続される。ダウンリンク方向では、無線周波数部９０２は、ネットワーク装置により送信された情報を、アンテナ９０１により受信し、ネットワーク装置により送信された情報を、処理のために信号処理部９０３へ送信する。アップリンク方向では、信号処理部９０３は、端末に関する情報を処理し、端末に関する情報を無線周波数部９０２へ送信する。無線周波数部９０２は、端末に関する情報を処理し、次に、端末に関する情報をネットワーク装置へアンテナ９０１により送信する。
【０１６６】
信号処理部９０３は、各通信プロトコルレイヤでデータを処理するよう構成されるモデムサブシステムを含んでよい。端末は、端末のオペレーティングシステム及びアプリケーションレイヤの処理を実装するよう構成される中央処理サブシステムを更に含んでよい。更に、端末は、別のサブシステム、例えばマルチメディアサブシステム又は周辺機器サブシステムを更に含んでよい。マルチメディアサブシステムは、端末のカメラ又は画面表示を制御するよう構成され、周辺機器サブシステムは、別の装置への接続を実施するよう構成される。モデムサブシステムは、別個に配置されたチップであってよい。任意で、端末のために使用される前述の機器は、モデムサブシステム内に置かれてよい。
【０１６７】
モデムサブシステムは、１つ以上の処理要素９０３１を含み、例えば１つの主制御ＣＰＵ及び別の集積回路を含んでよい。更に、モデムサブシステムは、記憶要素９０３２及びインタフェース回路９０３３を更に含んでよい。記憶要素９０３２は、データ及びプログラムを格納するよう構成される。しかしながら、前述の方法における端末により実行される方法を実行するために使用されるプログラムは、記憶要素９０３２に格納されなくてよいが、モデムサブシステムの外部にあるメモリに格納され、使用されるべきときにモデムサブシステムによりロードされ使用される。インタフェース回路９０３３は、別のサブシステムと通信するよう構成される。端末のために使用される前述の機器は、モデムサブシステム内に置かれてよい。モデムサブシステムは、チップにより実装されてよい。チップは、少なくとも１つの処理要素及びインタフェース回路を含む。処理要素は、端末により実行される任意の方法のステップを実行するよう構成される。インタフェース回路は、別の機器と通信するよう構成される。一実装では、前述の方法におけるステップを実装する端末のユニットは、プログラムをスケジューリングする処理要素により実装されてよい。例えば、端末に適用される機器は、処理要素及び記憶要素を含む。処理要素は、記憶要素に格納されたプログラムを呼び出して、前述の方法の実施形態における端末により実行される方法を実行する。記憶要素は、処理要素と同じチップに配置される記憶要素、つまりオンチップ記憶要素であってよい。
【０１６８】
別の実装では、前述の方法における端末により実行される方法を実行するために使用されるプログラムは、処理要素と異なるチップに配置される記憶要素、つまりオフチップ記憶要素であってよい。この場合、処理要素は、オフチップ記憶要素からオンチップ記憶要素へとプログラムを呼び出しロードして、前述の方法の実施形態における端末により実行される方法を呼び出し実行する。
【０１６９】
更に別の実装では、前述の方法におけるステップを実装する、端末に適用される機器の中のユニットは、１つ以上の処理要素として構成されてよい。これらの処理要素は、モデムサブシステム内に配置される。処理要素は、ここでは、集積回路、例えば、１つ以上のＡＳＩＣ、１つ以上のＤＳＰ、１つ以上のＦＰＧＡ、又はこれらの種類の集積回路の組み合わせであってよい。これらの集積回路は、一緒に統合されてチップを形成してよい。
【０１７０】
前述の方法におけるステップを実装する端末のユニットは、一緒に統合され、システムオンチップ（system-on-a-chip,  SOC）の形式で実装されてよい。ＳＯＣチップは、前述の方法を実装するよう構成される。少なくとも１つの処理要素及び記憶要素は、チップに統合されてよく、処理要素は、記憶要素に格納されたプログラムを呼び出して、端末により実行される前述の方法を実装する。代替として、少なくとも１つの集積回路は、チップに統合されてよく、端末により実行される前述の方法を実装してよい。代替として、前述の実装を参照して、プログラムを呼び出す処理要素により実装される幾つかのユニットの機能、及び幾つかのユニットの機能は、集積回路により実装される。
【０１７１】
端末に適用される前述の機器は、少なくとも１つの処理要素及びインタフェース回路を含んでよいことが分かる。少なくとも１つの処理要素は、前述の方法の実施形態において提供された端末により実行される任意の方法を実行するよう構成される。処理要素は、前述の方法の実施形態における端末により実行される一部又は全部のステップを、第１方法で、具体的に言うと、記憶要素に格納されたプログラムを実行することにより、実行してよく、又は、前述の方法の実施形態における端末により実行される一部又は全部のステップを、第２方法で、具体的に言うと、命令と結合したプロセッサ要素内のハードウェア統合論理回路により、実行してよい。勿論、処理要素は、第１方法及び第２方法を結合することにより、前述の方法の実施形態における端末により実行される一部又は全部のステップを実行してよい。
【０１７２】
上述のように、処理要素は、ここでは、汎用プロセッサ、例えばＣＰＵであってよく、又は、前述の方法を実装するよう構成される１つ以上の集積回路、例えば１つ以上のＡＳＩＣ、１つ以上のマイクロプロセッサＤＳＰ、１つ以上のＦＰＧＡ、又はこれらの種類の集積回路の少なくとも２つの組み合わせであってよい。
【０１７３】
記憶要素は、１つのメモリであってよく、又は複数の記憶要素の一般名称であってよい。
【０１７４】
図１０は、本願の一実施形態によるネットワーク装置の概略図である。ネットワーク装置は、前述の実施形態におけるネットワーク装置の動作を実装するよう構成される。図１０に示すように、ネットワーク装置は、アンテナ１００１、無線周波数機器１００２、及びベースバンド機器１００３を含む。アンテナ１００１は、無線周波数機器１００２に接続される。アップリンク方向では、無線周波数機器１００２は、端末により送信された情報を、アンテナ１００１により受信し、端末により送信された情報を、処理のためにベースバンド機器１００３へ送信する。ダウンリンク方向では、ベースバンド機器１００３は、端末に関する情報を処理し、情報を無線周波数機器１００２へ送信する。無線周波数機器１００２は、端末に関する情報を処理し、次に、処理した情報を端末へアンテナ１００１により送信する。
【０１７５】
ベースバンド機器１００３は、１つ以上の処理要素１００３１を含み、例えば主制御ＣＰＵ及び別の集積回路を含んでよい。更に、ベースバンド機器１００３は、記憶要素１００３２及びインタフェース回路１００３３を更に含んでよい。記憶要素１００３２は、プログラム及びデータを格納するよう構成される。インタフェース回路１００３３は、無線周波数機器１００２と情報を交換するよう構成され、インタフェース回路は、例えば一般的な公衆無線インタフェース（common  public  radio  interface,  CPRI）である。ネットワーク装置に適用される前述の機器は、ベースバンド機器１００３内に置かれてよい。例えば、ネットワーク装置に適用される前述の機器は、ベースバンド機器１００３内のチップであってよい。チップは、少なくとも１つの処理要素及びインタフェース回路を含む。処理要素は、ネットワーク装置により実行される任意の方法のステップを実行するよう構成される。インタフェース回路は、別の機器と通信するよう構成される。一実装では、前述の方法におけるステップを実装するネットワーク装置のユニットは、プログラムをスケジューリングする処理要素により実装されてよい。例えば、ネットワーク装置に適用される機器は、処理要素及び記憶要素を含む。処理要素は、記憶要素に格納されたプログラムを呼び出して、前述の方法の実施形態におけるネットワーク装置により実行される方法を実行する。記憶要素は、処理要素と同じチップに配置される記憶要素、つまりオンチップ記憶要素であってよく、又は、処理要素と異なるチップに配置される記憶要素、つまりオフチップ記憶要素であってよい。
【０１７６】
別の実装では、前述の方法におけるステップを実装する、ネットワーク装置に適用される機器の中のユニットは、１つ以上の処理要素として構成されてよい。これらの処理要素は、ベースバンド機器内に配置される。処理要素は、ここでは、集積回路、例えば、１つ以上のＡＳＩＣ、１つ以上のＤＳＰ、１つ以上のＦＰＧＡ、又はこれらの種類の集積回路の組み合わせであってよい。これらの集積回路は、一緒に統合されてチップを形成してよい。
【０１７７】
前述の方法におけるステップを実装するネットワーク装置のユニットは、一緒に統合され、システムオンチップ（system-on-a-chip,  SOC）の形式で実装されてよい。ベースバンド機器は、前述の方法を実装するよう構成されるＳＯＣチップを含む。少なくとも１つの処理要素及び記憶要素は、チップに統合されてよく、処理要素は、記憶要素に格納されたプログラムを呼び出して、ネットワーク装置により実行される前述の方法を実装する。代替として、少なくとも１つの集積回路は、チップに統合されてよく、ネットワーク装置により実行される前述の方法を実装してよい。代替として、前述の実装を参照して、プログラムを呼び出す処理要素により実装される幾つかのユニットの機能、及び幾つかのユニットの機能は、集積回路により実装される。
【０１７８】
ネットワーク装置に適用される前述の機器は、少なくとも１つの処理要素及びインタフェース回路を含んでよいことが分かる。少なくとも１つの処理要素は、前述の方法の実施形態において提供されたネットワーク装置により実行される任意の方法を実行するよう構成される。処理要素は、前述の方法の実施形態におけるネットワーク装置により実行される一部又は全部のステップを、第１方法で、具体的に言うと、記憶要素に格納されたプログラムを実行することにより、実行してよく、又は、前述の方法の実施形態におけるネットワーク装置により実行される一部又は全部のステップを、第２方法で、具体的に言うと、命令と結合したプロセッサ要素内のハードウェア統合論理回路により、実行してよい。勿論、処理要素は、第１方法及び第２方法を結合することにより、前述の方法の実施形態におけるネットワーク装置により実行される一部又は全部のステップを実行してよい。
【０１７９】
上述のように、処理要素は、ここでは、汎用プロセッサ、例えばＣＰＵであってよく、又は、前述の方法を実装するよう構成される１つ以上の集積回路、例えば１つ以上のＡＳＩＣ、１つ以上のマイクロプロセッサＤＳＰ、１つ以上のＦＰＧＡ、又はこれらの種類の集積回路の少なくとも２つの組み合わせであってよい。
【０１８０】
記憶要素は、１つのメモリであってよく、又は複数の記憶要素の一般名称であってよい。
【０１８１】
本願の実施形態で提供された方法に従い、本願の実施形態は、通信システムを更に提供し、通信システムは前述のネットワーク装置及び１つ以上の端末を含む。
【０１８２】
本願の実施形態は、ネットワーク装置又は端末に適用される、前述の方法の実施形態を実行するよう構成される少なくとも１つの処理要素（又はチップ）を含む、ランダムアクセス機器を更に適用する。
【０１８３】
本願は、ランダムアクセスプログラムを提供する。プロセッサにより実行されると、プログラムは、前述の実施形態における方法を実行するために使用される。
【０１８４】
本願は、プログラムプロダクト、例えば、前述のランダムアクセス方法に関連するプログラムを含むコンピュータ可読記憶媒体を更に提供する。
【０１８５】
当業者は、本願の実施形態が方法、システム、又はコンピュータプログラムプロダクトとして提供され得ることを理解すべきである。従って、本願の実施形態は、ハードウェアのみの実施形態、ソフトウェアのみの実施形態、又はソフトウェアとハードウェアとの組み合わせを有する実施形態の形式を使用してよい。更に、本願の実施形態は、コンピュータ使用可能プログラムコードを含む、１つ以上のコンピュータ使用可能記憶媒体（限定ではないが、ディスクメモリ、ＣＤ−ＲＯＭ、光学メモリ、等を含む）に実装されるコンピュータプログラムプロダクトの形式を使用してよい。
【０１８６】
本願の実施形態は、本願の実施形態に従う方法、装置（システム）、及びコンピュータプログラムプロダクトのフローチャート及び／又はブロック図を参照して説明された。理解されるべきことに、コンピュータプログラム命令は、フローチャート及び／又はブロック図の中の各処理及び／又は各ブロック、及び／又はフローチャート及び／又はブロック図の中の処理及び／又はブロックの組み合わせを実装するために使用されてよい。これらのコンピュータプログラム命令は、汎用コンピュータ、専用コンピュータ、埋め込み型プロセッサ、又は別のプログラム可能なデータ処理装置のプロセッサのために機械路生成するために提供されてよい。その結果、コンピュータ又は別のプログラム可能なデータ処理装置のプロセッサにより実行された命令は、フローチャートの中の１つ以上の処理及び／又はブロック図の中の１つ以上のブロックの中の特定の機能を実装する機器を生成する。
【０１８７】
これらのコンピュータプログラム命令は、コンピュータ可読メモリに格納されてよく、コンピュータ又は任意の他のプログラム可能なデータ処理装置に特定の方法で動作するよう命令できる。その結果、コンピュータ可読メモリに格納された命令は、命令機器を含む物を生成する。命令機器は、フローチャートの中の１つ以上の処理及び／又はブロック図の中の１つ以上のブロックの中の特定の機能を実装する。
【０１８８】
これらのコンピュータプログラム命令は、コンピュータ又は別のプログラム可能なデータ処理装置にロードされてよい。その結果、一連の動作ステップが、コンピュータ又は別のプログラム可能な装置で実行され、それによりコンピュータ実装処理を生成する。従って、コンピュータ又は別のプログラム可能な装置で実行される命令は、フローチャートの中の１つ以上の処理及び／又はブロック図の中の１つ以上のブロックの中の特定の機能を実装するステップを提供する。
【０１８９】
明確に、当業者は、本願の精神及び範囲から逸脱することなく、種々の変更及び変形を本願の実施形態に対して行うことができる。本願は、これらの変更及び変形が以下の特許請求の範囲により定められる保護範囲及びそれらの均等な技術の範囲内に含まれるならば、それらをカバーすることを意図する。
【図１】
2021516924.tif 000013
【図２】
2021516924.tif 000014
【図３】
2021516924.tif 000015
【図４】
2021516924.tif 000016
【図５】
2021516924.tif 000017
【図６】
2021516924.tif 000018
【図７】
2021516924.tif 000019
【図８】
2021516924.tif 000020
【図９】
2021516924.tif 000021
【図１０】
2021516924.tif 000022
【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
ランダムアクセス方法であって、前記方法は、
ネットワーク装置から構成情報要素を受信するステップであって、前記構成情報要素は、ランダムアクセス機会当たりのダウンリンク信号の数を示す、ステップと、
第１指示を取得するステップであって、前記第１指示は、第１ダウンリンク信号を示す、ステップと、
第１ランダムアクセス機会により、ランダムアクセスプリアンブルを送信するステップであって、前記第１ダウンリンク信号とランダムアクセス機会との間の対応は、前記構成情報要素に基づき決定され、前記第１ランダムアクセス機会は、前記第１指示により示された前記第１ダウンリンク信号に対応するランダムアクセス機会である、ステップと、
を含む方法。
【請求項２】
前記方法は、
第２指示を取得するステップであって、前記第２指示は、前記対応の中の前記第１ダウンリンク信号に対応する複数のランダムアクセス機会のうちの少なくとも１つのランダムアクセス機会を示し、前記第１ランダムアクセス機会は、前記第１指示により示された前記第１ダウンリンク信号に対応する、前記第２指示により示された前記少なくとも１つのランダムアクセス機会のうちの、ランダムアクセス機会である、ステップ、
を更に含む、請求項１に記載の方法。
【請求項３】
前記第２指示は、マスクインデックスを含む、請求項２に記載の方法。
【請求項４】
前記マスクインデックスは４ビット値を有し、
前記マスクインデックスの８個の値は、それぞれ、８個のランダムアクセス機会を示し、
１つの値は、前記第１ダウンリンク信号に対応する全部のランダムアクセス機会を示し、前記第１ランダムアクセス機会は、前記全部のランダムアクセス機会から選択され、
１つの値は、奇数番号のランダムアクセス機会を示すために使用され、前記第１ランダムアクセス機会は、前記奇数番号のランダムアクセス機会から選択され、
１つの値は、偶数番号のランダムアクセス機会を示すために使用され、前記第１ランダムアクセス機会は、前記偶数番号のランダムアクセス機会から選択され、
他の値は予約される、
請求項３に記載の方法。
【請求項５】
前記第２指示は、無線リソース制御（ＲＲＣ）シグナリングの中の情報要素により、又は、物理ダウンリンク制御チャネル（ＰＤＣＣＨ）オーダにより、送信される、請求項２乃至４のいずれか一項に記載の方法。
【請求項６】
前記第１ダウンリンク信号は同期信号ブロック（ＳＳＢ）である、請求項１乃至５のいずれか一項に記載の方法。
【請求項７】
ランダムアクセス機会当たりのダウンリンク信号の前記数は、１より大きい、１より小さい、又は１に等しい、請求項１乃至６のいずれか一項に記載の方法。
【請求項８】
ネットワーク装置から、構成情報要素を受信する前記ステップは、
前記ネットワーク装置から、構成メッセージを受信するステップであって、前記構成メッセージは前記構成情報要素を含む、ステップを含む、請求項１乃至７のいずれか一項に記載の方法。
【請求項９】
前記構成メッセージは、第１構成情報要素と、第２構成情報要素と、を更に含み、前記第１構成情報要素及び前記第２構成情報要素は、それぞれ、ランダムアクセスリソースの時間ドメイン位置及び周波数ドメイン位置を示す、請求項８に記載の方法。
【請求項１０】
ランダムアクセス方法であって、前記方法は、
構成情報要素を送信するステップであって、前記構成情報要素は、ランダムアクセス機会当たりのダウンリンク信号の数を示す、ステップと、
第１指示を送信するステップであって、前記第１指示は、第１ダウンリンク信号を示す、ステップと、
第１ランダムアクセス機会により送信されたランダムアクセスプリアンブルを受信するステップであって、前記第１ダウンリンク信号とランダムアクセス機会との間の対応は、前記構成情報要素に基づき決定され、前記第１ランダムアクセス機会は、前記第１ダウンリンク信号に対応するランダムアクセス機会である、ステップと、
を含む方法。
【請求項１１】
前記方法は、
第２指示を送信するステップであって、前記第２指示は、前記対応の中の前記第１ダウンリンク信号に対応する複数のランダムアクセス機会のうちの少なくとも１つのランダムアクセス機会を示し、前記第１ランダムアクセス機会は、前記第１指示により示された前記第１ダウンリンク信号に対応する、前記第２指示により示された前記少なくとも１つのランダムアクセス機会のうちの、ランダムアクセス機会である、ステップ、
を更に含む、請求項１０に記載の方法。
【請求項１２】
前記第２指示は、マスクインデックスを含む、請求項１１に記載の方法。
【請求項１３】
前記マスクインデックスは４ビット値を有し、
前記マスクインデックスの８個の値は、それぞれ、８個のランダムアクセス機会を示し、
１つの値は、前記第１ダウンリンク信号に対応する全部のランダムアクセス機会を示し、前記第１ランダムアクセス機会は、前記全部のランダムアクセス機会から選択され、
１つの値は、奇数番号のランダムアクセス機会を示すために使用され、前記第１ランダムアクセス機会は、前記奇数番号のランダムアクセス機会から選択され、
１つの値は、偶数番号のランダムアクセス機会を示すために使用され、前記第１ランダムアクセス機会は、前記偶数番号のランダムアクセス機会から選択され、
他の値は予約される、
請求項１２に記載の方法。
【請求項１４】
前記第２指示は、無線リソース制御（ＲＲＣ）シグナリングの中の情報要素により、又は、物理ダウンリンク制御チャネル（ＰＤＣＣＨ）オーダにより、送信される、請求項１１乃至１３のいずれか一項に記載の方法。
【請求項１５】
前記第１ダウンリンク信号は同期信号ブロック（ＳＳＢ）である、請求項１０乃至１４のいずれか一項に記載の方法。
【請求項１６】
ランダムアクセス機会当たりのダウンリンク信号の前記数は、１より大きい、１より小さい、又は１に等しい、請求項１０乃至１５のいずれか一項に記載の方法。
【請求項１７】
構成情報要素を送信する前記ステップは、
構成メッセージを送信するステップであって、前記構成メッセージは前記構成情報要素を含む、ステップを含む、請求項１０乃至１６のいずれか一項に記載の方法。
【請求項１８】
前記構成メッセージは、第１構成情報要素と、第２構成情報要素と、を更に含み、前記第１構成情報要素及び前記第２構成情報要素は、それぞれ、ランダムアクセスリソースの時間ドメイン位置及び周波数ドメイン位置を示す、請求項１７に記載の方法。
【請求項１９】
機器であって、
ネットワーク装置から構成情報要素を受信する手段であって、前記構成情報要素は、ランダムアクセス機会当たりのダウンリンク信号の数を示す、手段と、
第１指示を取得する手段であって、前記第１指示は第１ダウンリンク信号を示す、手段と、
第１ランダムアクセス機会によりランダムアクセスプリアンブルを送信する手段であって、前記第１ダウンリンク信号とランダムアクセス機会との間の対応は、前記構成情報要素に基づき決定され、前記第１ランダムアクセス機会は、前記第１指示により示された前記第１ダウンリンク信号に対応するランダムアクセス機会である、手段と、
を含む機器。
【請求項２０】
第２指示を取得する手段であって、前記第２指示は、前記対応の中の前記第１ダウンリンク信号に対応する複数のランダムアクセス機会のうちの少なくとも１つのランダムアクセス機会を示し、前記第１ランダムアクセス機会は、前記第１指示により示された前記第１ダウンリンク信号に対応する、前記第２指示により示された前記少なくとも１つのランダムアクセス機会のうちの、ランダムアクセス機会である、手段、
を更に含む請求項１９に記載の機器。
【請求項２１】
前記第２指示は、マスクインデックスを含む、請求項２０に記載の機器。
【請求項２２】
前記マスクインデックスは４ビット値を有し、
前記マスクインデックスの８個の値は、それぞれ、８個のランダムアクセス機会を示し、
１つの値は、前記第１ダウンリンク信号に対応する全部のランダムアクセス機会を示し、前記第１ランダムアクセス機会は、前記全部のランダムアクセス機会から選択され、
１つの値は、奇数番号のランダムアクセス機会を示すために使用され、前記第１ランダムアクセス機会は、前記奇数番号のランダムアクセス機会から選択され、
１つの値は、偶数番号のランダムアクセス機会を示すために使用され、前記第１ランダムアクセス機会は、前記偶数番号のランダムアクセス機会から選択され、
他の値は予約される、
請求項２１に記載の機器。
【請求項２３】
前記第２指示は、無線リソース制御（ＲＲＣ）シグナリングの中の情報要素により、又は、物理ダウンリンク制御チャネル（ＰＤＣＣＨ）オーダにより、送信される、請求項２０乃至２２のいずれか一項に記載の機器。
【請求項２４】
前記第１ダウンリンク信号は同期信号ブロック（ＳＳＢ）である、請求項１９乃至２３のいずれか一項に記載の機器。
【請求項２５】
ランダムアクセス機会当たりのダウンリンク信号の前記数は、１より大きい、１より小さい、又は１に等しい、請求項１９乃至２４のいずれか一項に記載の機器。
【請求項２６】
前記構成情報要素は、前記ネットワーク装置から、構成メッセージにより受信される、請求項１９乃至２５のいずれか一項に記載の機器。
【請求項２７】
前記構成メッセージは、第１構成情報要素と、第２構成情報要素と、を更に含み、前記第１構成情報要素及び前記第２構成情報要素は、それぞれ、ランダムアクセスリソースの時間ドメイン位置及び周波数ドメイン位置を示す、請求項２６に記載の機器。
【請求項２８】
機器であって、
構成情報要素を送信する手段であって、前記構成情報要素は、ランダムアクセス機会当たりのダウンリンク信号の数を示す、手段と、
第１指示を送信する手段であって、前記第１指示は、第１ダウンリンク信号を示す、手段と、
第１ランダムアクセス機会により送信されたランダムアクセスプリアンブルを受信する手段であって、前記第１ダウンリンク信号とランダムアクセス機会との間の対応は、前記構成情報要素に基づき決定され、前記第１ランダムアクセス機会は、前記第１ダウンリンク信号に対応するランダムアクセス機会である、手段と、
を含む機器。
【請求項２９】
前記機器は、
第２指示を送信する手段であって、前記第２指示は、前記対応の中の前記第１ダウンリンク信号に対応する複数のランダムアクセス機会のうちの少なくとも１つのランダムアクセス機会を示し、前記第１ランダムアクセス機会は、前記第１指示により示された前記第１ダウンリンク信号に対応する、前記第２指示により示された前記少なくとも１つのランダムアクセス機会のうちの、ランダムアクセス機会である、手段、
を更に含む請求項２８に記載の機器。
【請求項３０】
前記第２指示は、マスクインデックスを含む、請求項２９に記載の機器。
【請求項３１】
前記マスクインデックスは４ビット値を有し、
前記マスクインデックスの８個の値は、それぞれ、８個のランダムアクセス機会を示し、
１つの値は、前記第１ダウンリンク信号に対応する全部のランダムアクセス機会を示し、前記第１ランダムアクセス機会は、前記全部のランダムアクセス機会から選択され、
１つの値は、奇数番号のランダムアクセス機会を示すために使用され、前記第１ランダムアクセス機会は、前記奇数番号のランダムアクセス機会から選択され、
１つの値は、偶数番号のランダムアクセス機会を示すために使用され、前記第１ランダムアクセス機会は、前記偶数番号のランダムアクセス機会から選択され、
他の値は予約される、
請求項３０に記載の機器。
【請求項３２】
前記第２指示は、無線リソース制御（ＲＲＣ）シグナリングの中の情報要素により、又は、物理ダウンリンク制御チャネル（ＰＤＣＣＨ）オーダにより、送信される、請求項２９乃至３１のいずれか一項に記載の機器。
【請求項３３】
前記第１ダウンリンク信号は同期信号ブロック（ＳＳＢ）である、請求項２８乃至３２のいずれか一項に記載の機器。
【請求項３４】
ランダムアクセス機会当たりのダウンリンク信号の前記数は、１より大きい、１より小さい、又は１に等しい、請求項２８乃至３３のいずれか一項に記載の機器。
【請求項３５】
前記構成情報要素は、構成メッセージにより送信される、請求項２８乃至３４のいずれか一項に記載の機器。
【請求項３６】
前記構成メッセージは、第１構成情報要素と、第２構成情報要素と、を更に含み、前記第１構成情報要素及び前記第２構成情報要素は、それぞれ、ランダムアクセスリソースの時間ドメイン位置及び周波数ドメイン位置を示す、請求項３５に記載の機器。
【請求項３７】
プログラムを含む記憶媒体であって、プロセッサにより実行されると、前記プロセッサは、請求項１乃至９のいずれか一項又は請求項１０乃至１８のいずれか一項に記載の方法を実行するようにされる、記憶媒体。
【手続補正２】
【補正対象書類名】明細書
【補正対象項目名】００２１
【補正方法】変更
【補正の内容】
【００２１】
別の可能な実装では、前記第２対応は以下を含む：
前記第１情報は４ビット情報の値であり、１つの値は、任意のランダムアクセス機会が前記ダウンリンク信号に対応する全部のランダムアクセス機会から選択できることを示すために使用され、２つの値は、前記ダウンリンク信号に対応する２つのランダムアクセス機会の中の２つのランダムアクセス機会を示すために使用され、２つの値は予約され又は前記ダウンリンク信号に対応する４個のランダムアクセス機会の中の前記２つのランダムアクセス機会以外の２つのランダムアクセス機会を示すために使用され、２つの値は予約され又は前記ダウンリンク信号に対応する８個のランダムアクセス機会の中の前記４個のランダムアクセス機会以外の４個のランダムアクセス機会を示すために使用され、１つの値は、前記ダウンリンク信号に対応する前記４個又は８個のランダムアクセス機会の中の奇数番号のランダムアクセス機会を示すために使用され、１つの値は、前記ダウンリンク信号に対応する前記４個又は８個のランダムアクセス機会の中の偶数番号のランダムアクセス機会を示すために使用される；又は、
前記第１情報は３ビットの値であり、１つの値は、任意のランダムアクセス機会が前記ダウンリンク信号に対応する全部のランダムアクセス機会から選択できることを示すために使用され、２つの値は、前記ダウンリンク信号に対応する２つのランダムアクセス機会の中の２つのランダムアクセス機会を示すために使用され、２つの値は予約され又は前記ダウンリンク信号に対応する４個のランダムアクセス機会の中の前記２つのランダムアクセス機会以外の２つのランダムアクセス機会を示すために使用され、２つの値は予約され又は前記ダウンリンク信号に対応する８個のランダムアクセス機会の中の前記４個のランダムアクセス機会以外の４個のランダムアクセス機会を示すために使用される。
【手続補正３】
【補正対象書類名】明細書
【補正対象項目名】０１０５
【補正方法】変更
【補正の内容】
【０１０５】
表４は、８個のＰＲＡＣＨ  ＭＡＳＫ  Ｉｎｄｅｘを示し得る。具体的に、４個のＰＲＡＣＨ  ＭＡＳＫ  ＩＮＤＥＸは、４個のＲＡＣＨ−Ｏｃｃａｓｉｏｎの中で使用されるべき特定のＲＡＣＨ−Ｏｃｃａｓｉｏｎを示すために別個に使用される。１つのＰＲＡＣＨ  ＭＡＳＫ  ＩＮＤＥＸは、「ａｌｌ」を示すために使用される。具体的に言うと、任意のRACH−Ｏｃｃａｓｉｏｎが全部のＲＯ−Ｏｃｃａｓｉｏｎの中で使用されてよい。２つのＰＲＡＣＨ  ＭＡＳＫ  ＩＮＤＥＸは、それぞれ、偶数番号のＲＡＣＨ−Ｏｃｃａｓｉｏｎ又は奇数番号のＲＡＣＨ−Ｏｃｃａｓｉｏｎが使用されてよいことを示すために使用される。残りのＰＲＡＣＨ  ＭＡＳＫ  ＩＮＤＥＸは、予約される（reserved）。
【手続補正４】
【補正対象書類名】明細書
【補正対象項目名】０１０７
【補正方法】変更
【補正の内容】
【０１０７】
表５は、４個のＰＲＡＣＨ  ＭＡＳＫ  ＩＮＤＥＸを示し得る。４個のＰＲＡＣＨ  ＭＡＳＫ  ＩＮＤＥＸの全部がＲＯを示すために使用される。
【手続補正５】
【補正対象書類名】明細書
【補正対象項目名】０１０９
【補正方法】変更
【補正の内容】
【０１０９】
表６は、４個のＰＲＡＣＨ  ＭＡＳＫ  ＩＮＤＥＸを示し得る。具体的に、２個のＰＲＡＣＨ  ＭＡＳＫ  ＩＮＤＥＸは、２個のＲＡＣＨ−Ｏｃｃａｓｉｏｎの中で使用されるべき特定のＲＡＣＨ−Ｏｃｃａｓｉｏｎを示すために別個に使用される。１つのＰＲＡＣＨ  ＭＡＳＫ  ＩＮＤＥＸは、「ａｌｌ」を示すために使用される。具体的に言うと、任意のRACH−Ｏｃｃａｓｉｏｎが全部のＲＯ−Ｏｃｃａｓｉｏｎの中から選択されてよい。残りのＰＲＡＣＨ  ＭＡＳＫ  ＩＮＤＥＸは、予約される（reserved）。
【手続補正６】
【補正対象書類名】明細書
【補正対象項目名】０１１２
【補正方法】変更
【補正の内容】
【０１１２】
代替として、同じＲＯ  ＭＡＳＫが、ＳＳＢとＲＯとの間の異なる関連付け関係のために構成されてよい。ＲＯ  ＭＡＳＫは、第１指示情報の値と第１ＲＯとの間の対応を含んでよい。本願の一実施形態では、第１指示情報の値と、同じＲＯ  ＭＡＳＫの中の第１ＲＯとの間の対応は、第２対応と呼ばれてよい。端末は、第２対応に基づき、第１ＲＯを決定してよい。ネットワーク装置は、対応に基づき、第１ＲＯに対応する第１指示情報を決定してよい。マスクインデックスは、第２対応の中の第１指示情報の値である。
【手続補正７】
【補正対象書類名】明細書
【補正対象項目名】０１８９
【補正方法】変更
【補正の内容】
【０１８９】
明確に、当業者は、本願の範囲から逸脱することなく、種々の変更及び変形を本願の実施形態に対して行うことができる。本願は、これらの変更及び変形が以下の特許請求の範囲により定められる保護範囲及びそれらの均等な技術の範囲内に含まれるならば、それらをカバーすることを意図する。
【国際調査報告】
2021516924.tif 000023
2021516924.tif 000024
2021516924.tif 000025
2021516924.tif 000026